(57)【特許請求の範囲】
【請求項１】
ワイヤレス通信のための方法であって、
アンテナポート構成メッセージを受信すること、ここにおいて、前記アンテナポート構成メッセージは、アンテナポート構造情報を含む、と、
ユーザ機器（ＵＥ）において、コードブックのセットの中からコードブックを示すコードブックタイプインジケータ（ＣＴＩ）を識別すること、ここにおいて、前記コードブックが前記アンテナポート構造情報に関連付けられる、ここにおいて、前記コードブックは、２次元アンテナポート構造の行の数に関連付けられた第１の垂直コードブックと、前記２次元アンテナポート構造の列の数に関連付けられた第１の水平コードブックと、を備える、と、
前記ＣＴＩに少なくとも部分的に基づいて、プリコーディングマトリクスインジケータ（ＰＭＩ）を選択することと、
前記第１の垂直コードブックまたは前記第１の水平コードブックのうちの１つまたは複数のサイズを制限すること、ここにおいて、前記ＵＥは、前記サイズを制限するとき、前記第１の垂直コードブックまたは前記第１の水平コードブックのうちの前記１つまたは複数に適用すべき制限されたコードブックサイズに関連付けられたビットマップパラメータを受信する、と、
前記ＵＥから基地局に、前記ＰＭＩを含むチャネル状態情報（ＣＳＩ）レポートを送信することと
を備える方法。
【請求項２】
前記ＣＳＩレポートは、前記ＣＴＩをさらに含む、請求項１に記載の方法。
【請求項３】
前記ＣＴＩに少なくとも部分的に基づいて前記ＰＭＩを選択することは、
第１の垂直コードブックに関連付けられた第１の垂直ＰＭＩを選択することと、
第１の水平コードブックに関連付けられた第１の水平ＰＭＩを選択することと、
第２のコードブックに関連付けられた第２のＰＭＩを選択することと
を備える、請求項１に記載の方法。
【請求項４】
前記第１の垂直ＰＭＩを選択すること、前記第１の水平ＰＭＩを選択すること、または前記第２のＰＭＩを選択することのうちの１つまたは複数は、前記ＣＴＩに少なくとも部分的に基づく、請求項３に記載の方法。
【請求項５】
前記コードブックは、
前記２次元アンテナポート構造の偏波の数に関連付けられた第２のコードブック
をさらに備える、請求項１に記載の方法。
【請求項６】
前記ＰＭＩを選択することは、ランクインジケータ（ＲＩ）にさらに少なくとも部分的に基づく、請求項１に記載の方法。
【請求項７】
物理アップリンク共有チャネル（ＰＵＳＣＨ）を使用して、複数のＣＳＩレポートを非周期的に送信すること
をさらに備える、請求項１に記載の方法。
【請求項８】
前記ＰＵＳＣＨを使用して前記複数のＣＳＩレポートを非周期的に送信することは、
前記ＣＴＩ、ランクインジケータ（ＲＩ）、第１の垂直ＰＭＩ、第１の水平ＰＭＩ、およびチャネル品質インジケータ（ＣＱＩ）を非周期的に送信すること
を備える、請求項７に記載の方法。
【請求項９】
物理アップリンク制御チャネル（ＰＵＣＣＨ）を使用して、複数のＣＳＩレポートを周期的に送信することをさらに備える、請求項１に記載の方法。
【請求項１０】
前記ＰＵＣＣＨを使用して前記複数のＣＳＩレポートを周期的に送信することは、
第１の周期性で、ランクインジケータ（ＲＩ）および第１の垂直ＰＭＩを符号化する第１のＣＳＩレポートを送信することと、
第２の周期性で、第１の水平ＰＭＩを符号化する第２のＣＳＩレポートを送信することと、
第３の周期性で、広帯域のチャネル品質インジケータ（ＣＱＩ）および第２のＰＭＩを符号化する第３のＣＳＩレポートを送信することと
を備える、請求項９に記載の方法。
【請求項１１】
前記ＰＵＣＣＨを使用して前記複数のＣＳＩレポートを周期的に送信することは、
第１の周期性で、ランクインジケータ（ＲＩ）およびプリコーディングタイプインジケータ（ＰＴＩ）を符号化する第１のＣＳＩレポートを送信することと、
第２の周期性で、前記ＰＴＩに少なくとも部分的に基づいて第１の垂直ＰＭＩまたは第１の水平ＰＭＩのうちの１つを符号化する第２のＣＳＩレポートを、送信することと、
第３の周期性で、前記ＰＴＩに少なくとも部分的に基づいて広帯域のチャネル品質インジケータ（ＣＱＩ）、第２のＰＭＩ、および前記第１の水平ＰＭＩまたは前記第１の垂直ＰＭＩのうちの１つを符号化する第３のＣＳＩレポートを、送信することと
を備える、請求項９に記載の方法。
【請求項１２】
前記ＰＵＣＣＨを使用して前記複数のＣＳＩレポートを周期的に送信することは、
第１の周期性で、ランクインジケータ（ＲＩ）およびプリコーディングタイプインジケータ（ＰＴＩ）を符号化する第１のＣＳＩレポートを送信することと、
第２の周期性で、組み合わされた第１の水平ＰＭＩおよび第１の垂直ＰＭＩまたは組み合わされた広帯域のチャネル品質インジケータ（ＣＱＩ）および第２のＰＭＩのうちの１つを、前記ＰＴＩに少なくとも部分的に基づいて符号化する第２のＣＳＩレポートを、送信することと、
第３の周期性で、組み合わされた広帯域のＣＱＩおよび前記第２のＰＭＩまたは組み合わされたサブバンドのＣＱＩおよび前記第２のＰＭＩのうちの１つを、前記ＰＴＩに少なくとも部分的に基づいて符号化する第３のＣＳＩレポートを送信することと
を備える、請求項９に記載の方法。
【請求項１３】
前記ＣＳＩレポートを送信することは、
前記基地局に関連付けられた前記ＣＳＩレポートと第２のＣＳＩレポートとの間の衝突を検出することと、
前記ＣＳＩレポートに関連付けられた第１の優先度が前記第２のＣＳＩレポートに関連付けられた第２の優先度よりも高いことを決定することと、
前記第２のＣＳＩレポートをドロップすることと、
前記ＵＥから前記基地局に、前記ＰＭＩを含む前記ＣＳＩレポートを送信することと
を備える、請求項９に記載の方法。
【請求項１４】
ワイヤレス通信のための装置であって、
アンテナポート構成メッセージを受信するための手段、ここにおいて、前記アンテナポート構成メッセージは、アンテナポート構造情報を含む、と、
ユーザ機器（ＵＥ）において、コードブックのセットの中からコードブックを示すコードブックタイプインジケータ（ＣＴＩ）を識別するための手段、ここにおいて、前記コードブックが前記アンテナポート構造情報に関連付けられる、ここにおいて、前記コードブックは、２次元アンテナポート構造の行の数に関連付けられた第１の垂直コードブックと、前記２次元アンテナポート構造の列の数に関連付けられた第１の水平コードブックと、を備える、と、
前記ＣＴＩに少なくとも部分的に基づいて、プリコーディングマトリクスインジケータ（ＰＭＩ）を選択するための手段と、
前記第１の垂直コードブックまたは前記第１の水平コードブックのうちの１つまたは複数のサイズを制限するための手段、ここにおいて、前記ＵＥは、前記サイズを制限するとき、前記第１の垂直コードブックまたは前記第１の水平コードブックのうちの前記１つまたは複数に適用すべき制限されたコードブックサイズに関連付けられたビットマップパラメータを受信する、と、
前記ＵＥから基地局に、前記ＰＭＩを含むチャネル状態情報（ＣＳＩ）レポートを送信するための手段と
を備える装置。
【請求項１５】
前記ＣＳＩレポートは、前記ＣＴＩをさらに含む、請求項１４に記載の装置。
【請求項１６】
第１の水平コードブックに関連付けられた第１の水平ＰＭＩを選択するための手段と、
第２のコードブックに関連付けられた第２のＰＭＩを選択するための手段、
前記ＣＴＩに少なくとも部分的に基づいて前記ＰＭＩを選択することは、第１の垂直コードブックに関連付けられた第１の垂直ＰＭＩを選択することを備える、と
をさらに備える、請求項１４に記載の装置。
【請求項１７】
物理アップリンク共有チャネル（ＰＵＳＣＨ）を使用して、複数のＣＳＩレポートを非周期的に送信するための手段をさらに備える、請求項１４に記載の装置。
【請求項１８】
物理アップリンク制御チャネル（ＰＵＣＣＨ）を使用して、複数のＣＳＩレポートを周期的に送信するための手段をさらに備える、請求項１４に記載の装置。
【発明の詳細な説明】
【技術分野】
【０００１】
[0001]以下は、一般に、ワイヤレス通信に関し、より具体的には、エレベーションビームフォーミングおよび全次元多入力多出力（ＦＤ−ＭＩＭＯ：full dimensional multiple-input and multiple-output）のためのチャネル状態情報（ＣＳＩ）フィードバックシグナリングに関する。
【０００２】
[0002]ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（例えば、ロングタームエボリューション（ＬＴＥ（登録商標））システム）を含む。ワイヤレス多元接続通信システムは、いくつかの基地局を含み得、各々が、複数の通信デバイスのための通信を同時にサポートし、それらは、別名ユーザ機器（ＵＥ）として知られ得る。
【０００３】
[0003]基地局は、ＵＥからアップリンク送信を受信することによって、およびＵＥにダウンリンク送信を送ることによって、ＵＥと通信し得る。ある特定の状況において、基地局は、ダウンリンクチャネル状態に基づいてダウンリンク送信構成を選び得る。ダウンリンクチャネル状態は、チャネル状態情報（ＣＳＩ）レポートの形式で、ＵＥによって基地局に報告され得る。ＣＳＩレポートは、チャネル品質インジケータ（ＣＱＩ：channel quality indicator）、プリコーディングマトリクスインジケータ（ＰＭＩ：precoding matrix indicator）、およびランクインジケータ（ＲＩ：rank indicator）を含み得る。基地局に送られるＰＭＩとＲＩとの組み合わせは、所定のプリコーダコードブックから選択されたプリコーディングマトリクスを示し得る。所定のコードブックは、基地局の１つまたは複数のアンテナポートに関連付けられ得、基地局においてビームフォーミングのために使用され得る。
【発明の概要】
【０００４】
[0004]エレベーションビームフォーミングおよびＦＤ−ＭＩＭＯのためのＣＳＩフィードバックシグナリングのためのシステム、方法、および装置が説明される。ＵＥは、ユーザ機器（ＵＥ）において、コードブックのセットの中からコードブックを示すコードブックタイプインジケータ（ＣＴＩ：a codebook type indicator）を、コードブックが基地局の２次元アンテナポート構造に関連付けられ得るように、識別し得る。ＵＥは、ＣＴＩに基づいて、プリコーディングマトリクスインジケータ（ＰＭＩ）を選択し得る。ＵＥは、ＵＥから基地局に、プリコーディングマトリクスインジケータ（ＰＭＩ）を含むチャネル状態情報（ＣＳＩ）レポートを送信し得る。いくつかの例において、ＣＴＩに基づいてＰＭＩを選択することは、第１の垂直（vertical）コードブックに関連付けられた第１の垂直ＰＭＩを選択することを含む。ＵＥは、第１の水平コードブックに関連付けられた第１の水平ＰＭＩを選択し得る。ＵＥは、第２のコードブックに関連付けられた第２のＰＭＩを選択し得る。ＵＥは、第１の垂直コードブックまたは第１の水平コードブックのうちの１つまたは複数のサイズを制限し得る。ＵＥは、物理アップリンク共有チャネル（ＰＵＳＣＨ）を使用して、非周期的に（aperiodically）ＣＳＩレポートのセットを送信し得る。ＵＥは、物理アップリンク制御チャネル（ＰＵＣＣＨ）を使用して、ＣＳＩレポートのセットを周期的に送信し得る。ＵＥはまた、ＵＥにおいて、基地局のアンテナポート構造に関連付けられた第１のアンテナポート構成パラメータを受信し得る。ＵＥは、第１のアンテナポート構成パラメータに基づいて、アンテナポート構造に関連付けられた第２のアンテナポート構成パラメータを決定し得る。ＵＥは、第１のアンテナポート構成パラメータおよび第２のアンテナポート構成パラメータに基づいて、ＵＥにおいて、データを送信または受信し得る。ＵＥは、ＵＥにおいて、第２のアンテナポート構成パラメータを決定することが第３のアンテナポート構成パラメータにさらに基づき得るように、アンテナポート構造に関連付けられた第３のアンテナポート構成パラメータを受信し得る。ＵＥは、データを送信または受信することは、第３のアンテナポート構成パラメータにさらに基づき得る。ＵＥは、第１のアンテナポート構成パラメータは、アンテナポート構造の行の数またはアンテナポート構造の列の数のうちの１つであり得る。いくつかの例において、第２のアンテナポート構成パラメータは、アンテナポート構造の偏波配列（a polarization arrangement）を含む。
【０００５】
[0005]ワイヤレス通信のための方法が説明される。方法は、ユーザ機器（ＵＥ）において、コードブックのセットの中からコードブックを示すコードブックタイプインジケータ（ＣＴＩ）を識別すること、ここにおいて、コードブックが基地局の２次元アンテナポート構造に関連付けられる、と、ＣＴＩに少なくとも部分的に基づいて、プリコーディングマトリクスインジケータ（ＰＭＩ）を選択することと、ＵＥから基地局に、ＰＭＩを含むチャネル状態情報（ＣＳＩ）レポートを送信することとを含み得る。
【０００６】
[0006]ワイヤレス通信のための装置が説明される。装置は、ユーザ機器（ＵＥ）において、コードブックのセットの中からコードブックを示すコードブックタイプインジケータ（ＣＴＩ）を識別するための手段、ここにおいて、コードブックが基地局の２次元アンテナポート構造に関連付けられる、と、ＣＴＩに少なくとも部分的に基づいて、プリコーディングマトリクスインジケータ（ＰＭＩ）を選択するための手段と、ＵＥから基地局に、ＰＭＩを含むチャネル状態情報（ＣＳＩ）レポートを送信するための手段とを含み得る。
【０００７】
[0007]ワイヤレス通信のためのさらなる装置が説明される。装置は、プロセッサ、プロセッサと電子通信状態にあるメモリ、およびそのメモリに記憶され、およびプロセッサによって実行されると、ユーザ機器（ＵＥ）において、コードブックのセットの中からコードブックを示すコードブックタイプインジケータ（ＣＴＩ）を識別すること、ここにおいて、コードブックが基地局の２次元アンテナポート構造に関連付けられる、と、ＣＴＩに少なくとも部分的に基づいて、プリコーディングマトリクスインジケータ（ＰＭＩ）を選択することと、ＵＥから基地局に、ＰＭＩを含むチャネル状態情報（ＣＳＩ）レポートを送信することとを装置に行わせるように動作可能である命令を含み得る。
【０００８】
[0008]ワイヤレス通信のためのコードを記憶する非一時的コンピュータ読取り可能媒体が説明される。コードは、ユーザ機器（ＵＥ）において、コードブックのセットの中からコードブックを示すコードブックタイプインジケータ（ＣＴＩ）を識別すること、ここにおいて、コードブックが基地局の２次元アンテナポート構造に関連付けられる、と、ＣＴＩに少なくとも部分的に基づいて、プリコーディングマトリクスインジケータ（ＰＭＩ）を選択することと、ＵＥから基地局に、ＰＭＩを含むチャネル状態情報（ＣＳＩ）レポートを送信することとが実行可能である命令を含み得る。
【０００９】
[0009]ワイヤレス通信のためのさらなる方法が説明される。方法は、ＵＥにおいて、基地局のアンテナポート構造に関連付けられた第１のアンテナポート構成パラメータを受信することと、第１のアンテナポート構成パラメータに少なくとも部分的に基づいて、アンテナポート構造に関連付けられた第２のアンテナポート構成パラメータを決定することと、ＵＥにおいて、第１のアンテナポート構成パラメータおよび第２のアンテナポート構成パラメータに少なくとも部分的に基づいて、データを送信または受信することとを含み得る。
【００１０】
[0010]ワイヤレス通信のためのさらなる装置が説明される。装置は、ＵＥにおいて、基地局のアンテナポート構造に関連付けられた第１のアンテナポート構成パラメータを受信するための手段と、第１のアンテナポート構成パラメータに少なくとも部分的に基づいて、アンテナポート構造に関連付けられた第２のアンテナポート構成パラメータを決定するための手段と、ＵＥにおいて、第１のアンテナポート構成パラメータおよび第２のアンテナポート構成パラメータに少なくとも部分的に基づいて、データを送信または受信するための手段とを含み得る。
【００１１】
[0011]ワイヤレス通信のためのさらなる装置が説明される。装置は、プロセッサ、プロセッサと電子通信状態にあるメモリ、およびそのメモリに記憶され、およびプロセッサによって実行されると、ＵＥにおいて、基地局のアンテナポート構造に関連付けられた第１のアンテナポート構成パラメータを受信することと、第１のアンテナポート構成パラメータに少なくとも部分的に基づいて、アンテナポート構造に関連付けられた第２のアンテナポート構成パラメータを決定することと、ＵＥにおいて、第１のアンテナポート構成パラメータおよび第２のアンテナポート構成パラメータに少なくとも部分的に基づいて、データを送信および受信することとを装置に行わせるように動作可能である命令を含み得る。
【００１２】
[0012]ワイヤレス通信のためのコードを記憶するさらなる非一時的コンピュータ読取り可能媒体が説明される。コードは、ＵＥにおいて、基地局のアンテナポート構造に関連付けられた第１のアンテナポート構成パラメータを受信することと、第１のアンテナポート構成パラメータに少なくとも部分的に基づいて、アンテナポート構造に関連付けられた第２のアンテナポート構成パラメータを決定することと、ＵＥにおいて、第１のアンテナポート構成パラメータおよび第２のアンテナポート構成パラメータに少なくとも部分的に基づいて、データを送信および受信することとが実行可能である命令を含み得る。
【００１３】
[0013]本明細書に説明される方法、装置、または非一時的コンピュータ読取り可能媒体のいくつかの例は、ＵＥにおいて、アンテナポート構造に関連付けられた第３のアンテナポート構成パラメータを受信するためのプロセス、特徴、手段、または命令をさらに含み得、ここにおいて、第２のアンテナポート構成パラメータを決定することは、第３のアンテナポート構成パラメータにさらに少なくとも部分的に基づき、データを送信または受信することは、第３のアンテナポート構成パラメータにさらに少なくとも部分的に基づく。追加または代替として、いくつかの例は、第１のアンテナポート構成パラメータが、アンテナポート構造の行の数を含み、第２のアンテナポート構成パラメータが、アンテナポート構造の偏波（polarizations）の数を含み、第３のアンテナポート構成パラメータが、アンテナポート構造の列の数を含む、プロセス、特徴、手段、または命令を含み得る。
【００１４】
[0014]本明細書に説明される方法、装置、または非一時的コンピュータ読取り可能媒体のいくつかの例は、ＣＳＩレポートは、ＣＴＩをさらに含む、を含み得る。
【００１５】
[0015]本明細書に説明される方法、装置、または非一時的コンピュータ読取り可能媒体のいくつかの例は、ＣＴＩに少なくとも部分的に基づいてＰＭＩを選択することを含み得、第１の垂直コードブックに関連付けられた第１の垂直ＰＭＩを選択することと、第１の水平コードブックに関連付けられた第１の水平ＰＭＩを選択することと、第２のコードブックに関連付けられた第２のＰＭＩを選択することとを含む。
【００１６】
[0016]本明細書に説明される方法、装置、または非一時的コンピュータ読取り可能媒体のいくつかの例は、ＣＴＩに少なくとも部分的に基づいて、第１の垂直ＰＭＩを選択すること、第１の水平ＰＭＩを選択すること、または第２のＰＭＩを選択することのうちの１つまたは複数を含み得る。
【００１７】
[0017]本明細書に説明される方法、装置、または非一時的コンピュータ読取り可能媒体のいくつかの例は、２次元アンテナポート構造の行の数に関連付けられた第１の垂直コードブックを含むコードブックを含み得、ここにおいて、第１の水平コードブックは、２次元アンテナポート構造の列の数に関連付けられる。
【００１８】
[0018]本明細書に説明される方法、装置、または非一時的コンピュータ読取り可能媒体のいくつかの例は、２次元アンテナポート構造の偏波の数に関連付けられた第２のコードブックをさらに含むコードブックを含み得る。
【００１９】
[0019]本明細書に説明される方法、装置、または非一時的コンピュータ読取り可能媒体のいくつかの例は、第１の垂直コードブックまたは第１の水平コードブックのうちの１つまたは複数のサイズを制限することを含み得る。
【００２０】
[0020]本明細書に説明される方法、装置、または非一時的コンピュータ読取り可能媒体のいくつかの例は、ＵＥにおいて、サイズを制限するとき、第１の垂直コードブックまたは第１の水平コードブックのうちの１つまたは複数に適用される制限されたコードブックサイズに関連付けられたビットマップパラメータを受信することを含み得る。
【００２１】
[0021]本明細書に説明される方法、装置、または非一時的コンピュータ読取り可能媒体のいくつかの例は、ランクインジケータ（ＲＩ）にさらに少なくとも部分的に基づいてＰＭＩを選択することを含み得る。
【００２２】
[0022]本明細書に説明される方法、装置、または非一時的コンピュータ読取り可能媒体のいくつかの例は、物理アップリンク共有チャネル（ＰＵＳＣＨ）を使用して、複数のＣＳＩレポートを非周期的に送信することを含み得る。
【００２３】
[0023]本明細書に説明される方法、装置、または非一時的コンピュータ読取り可能媒体のいくつかの例において、物理アップリンク共有チャネル（ＰＵＳＣＨ）を使用して複数のＣＳＩレポートを非周期的に送信することは、ＣＴＩ、ランクインジケータ（ＲＩ）、第１の垂直ＰＭＩ、第１の水平ＰＭＩ、およびＣＱＩを非周期的に送信することを含む。追加または代替として、いくつかの例は、物理アップリンク制御チャネル（ＰＵＣＣＨ）を使用して、複数のＣＳＩレポートを周期的に送信するためのプロセス、特徴、手段、または命令を含み得る。
【００２４】
[0024]本明細書に説明される方法、装置、または非一時的コンピュータ読取り可能媒体のいくつかの例において、物理アップリンク制御チャネル（ＰＵＣＣＨ）を使用して、複数のＣＳＩレポートを周期的に送信することは、第１の周期性で、ランクインジケータ（ＲＩ）および第１の垂直ＰＭＩを符号化する第１のＣＳＩレポートを送信することと、第２の周期性で、第１の水平ＰＭＩを符号化する第２のＣＳＩレポートを送信することと、第３の周期性で、広帯域のチャネル品質インジケータ（ＣＱＩ）および第２のＰＭＩを符号化する第３のＣＳＩレポートを送信することとを含む。
【００２５】
[0025]本明細書に説明される方法、装置、または非一時的コンピュータ読取り可能媒体のいくつかの例において、ＰＵＣＣＨを使用して複数のＣＳＩレポートを周期的に送信することは、第１の周期性で、ランクインジケータ（ＲＩ）およびプリコーディングタイプインジケータ（ＰＴＩ）を符号化する第１のＣＳＩレポートを送信することと、第２の周期性で、ＰＴＩに少なくとも部分的に基づいて、第１の垂直ＰＭＩまたは第１の水平ＰＭＩのうちの１つを符号化する第２のＣＳＩレポートを送信することと、第３の周期性で、ＰＴＩに少なくとも部分的に基づいて、広帯域のチャネル品質インジケータ（ＣＱＩ）、第２のＰＭＩ、および第１の水平ＰＭＩまたは第１の垂直ＰＭＩのうちの１つを符号化する第３のＣＳＩレポートを送信することとを含む。
【００２６】
[0026]本明細書に説明される方法、装置、または非一時的コンピュータ読取り可能媒体のいくつかの例において、ＰＵＣＣＨを使用して複数のＣＳＩレポートを周期的に送信することは、第１の周期性で、ランクインジケータ（ＲＩ）およびプリコーディングタイプインジケータ（ＰＴＩ）を符号化する第１のＣＳＩレポートを送信することと、第２の周期性で、組み合わされた第１の水平ＰＭＩおよび第１の垂直ＰＭＩまたは組み合わされた広帯域のチャネル品質インジケータ（ＣＱＩ）および第２のＰＭＩのうちの１つを、ＰＴＩに少なくとも部分的に基づいて符号化する第２のＣＳＩレポートを、送信することと、第３の周期性で、組み合わされた広帯域のＣＱＩおよび第２のＰＭＩまたは組み合わされたサブバンドのＣＱＩおよび第２のＰＭＩのうちの１つを、ＰＴＩに少なくとも部分的に基づいて符号化する第３のＣＳＩレポートを送信することとを含む。
【００２７】
[0027]本明細書に説明される方法、装置、または非一時的コンピュータ読取り可能媒体のいくつかの例において、ＣＳＩレポートを送信することは、基地局に関連付けられたＣＳＩレポートと第２のＣＳＩレポートとの間の衝突を検出することと、ＣＳＩレポートに関連付けられた第１の優先度が第２のＣＳＩレポートに関連付けられた第２の優先度よりも高いことを決定することと、第２のＣＳＩレポートをドロップすることと、ＵＥから基地局に、ＰＭＩを含むＣＳＩレポートを送信することとを含む。
【００２８】
[0028]本明細書に説明される方法、装置、または非一時的コンピュータ読取り可能媒体のいくつかの例は、ＵＥにおいて、アンテナポート構造に関連付けられた第３のアンテナポート構成パラメータを受信するためのプロセス、特徴、手段、または命令をさらに含み得、ここにおいて、第２のアンテナポート構成パラメータを決定することは、第３のアンテナポート構成パラメータにさらに少なくとも部分的に基づき、データを送信または受信することは、第３のアンテナポート構成パラメータにさらに少なくとも部分的に基づく。追加または代替として、いくつかの例は、第１のアンテナポート構成パラメータが、アンテナポート構造の行の数を含み、第２のアンテナポート構成パラメータが、アンテナポート構造の偏波の数を含み、第３のアンテナポート構成パラメータが、アンテナポート構造の列の数を含む、プロセス、特徴、手段、または命令を含み得る。
【００２９】
[0029]本明細書に説明される方法、装置、または非一時的コンピュータ読取り可能媒体のいくつかの例は、第１のアンテナポート構成パラメータは、アンテナポート構造の行の数またはアンテナポート構造の列の数のうちの１つであり、第２のアンテナポート構成パラメータは、アンテナポート構造の偏波配列を含む、プロセス、特徴、手段、または命令をさらに含み得る。追加または代替として、いくつかの例は、アンテナポート構造の第１のアンテナポート構成パラメータおよび第３のアンテナポート構成パラメータに少なくとも部分的に基づいて、第２のアンテナポート構成パラメータを決定するためのプロセス、特徴、手段、または命令を含み得る。
【００３０】
[0030]本明細書に説明される方法、装置、または非一時的コンピュータ読取り可能媒体のいくつかの例において、アンテナポート構造は、交差偏波の２次元アンテナポート構造を備える。
【図面の簡単な説明】
【００３１】
[0031]本開示の態様は、以下の図面を参照して説明される。
【図１】[0032]図１は、本開示の様々な態様に従って、エレベーションビームフォーミングおよびＦＤ−ＭＩＭＯのためのチャネル状態情報（ＣＳＩ）フィードバックシグナリングをサポートするワイヤレス通信システムの例を例示する。
【図２】[0033]図２は、本開示の様々な態様に従って、エレベーションビームフォーミングおよびＦＤ−ＭＩＭＯのためのＣＳＩフィードバックシグナリングをサポートするワイヤレス通信サブシステムの例を例示する。
【図３】[0034]図３は、本開示の様々な態様に従って、エレベーションビームフォーミングおよびＦＤ−ＭＩＭＯのためのＣＳＩフィードバックシグナリングのためのアンテナポート構成のフロー図の例を例示する。
【図４】[0035]図４は、本開示の様々な態様に従って、エレベーションビームフォーミングおよびＦＤ−ＭＩＭＯのためのＣＳＩフィードバックシグナリングを行うときのコードブックサブセットの制限のためのフロー図の例を例示する。
【図５】[0036]図５は、本開示の様々な態様に従って、エレベーションビームフォーミングおよびＦＤ−ＭＩＭＯのためのＣＳＩフィードバックシグナリングのための信号フローの例を例示する。
【図６Ａ】[0037]図６Ａは、本開示の様々な態様に従って、エレベーションビームフォーミングおよびＦＤ−ＭＩＭＯのためのＣＳＩフィードバックシグナリングのための信号フローの例を例示する。
【図６Ｂ】図６Ｂは、本開示の様々な態様に従って、エレベーションビームフォーミングおよびＦＤ−ＭＩＭＯのためのＣＳＩフィードバックシグナリングのための信号フローの例を例示する。
【図７Ａ】[0038]図７Ａは、本開示の様々な態様に従って、エレベーションビームフォーミングおよびＦＤ−ＭＩＭＯのためのＣＳＩフィードバックシグナリングのための信号フローの例を例示する。
【図７Ｂ】図７Ｂは、本開示の様々な態様に従って、エレベーションビームフォーミングおよびＦＤ−ＭＩＭＯのためのＣＳＩフィードバックシグナリングのための信号フローの例を例示する。
【図８】[0039]図８は、本開示の様々な態様に従って、エレベーションビームフォーミングおよびＦＤ−ＭＩＭＯのためのＣＳＩフィードバックシグナリングのためのアンテナポート構成のフロー図の例を例示する。
【図９】[0040]図９は、本開示の様々な態様に従って、エレベーションビームフォーミングおよびＦＤ−ＭＩＭＯのためのＣＳＩフィードバックシグナリングをサポートするワイヤレスデバイスのブロック図を示す。
【図１０】図１０は、本開示の様々な態様に従って、エレベーションビームフォーミングおよびＦＤ−ＭＩＭＯのためのＣＳＩフィードバックシグナリングをサポートするワイヤレスデバイスのブロック図を示す。
【図１１】図１１は、本開示の様々な態様に従って、エレベーションビームフォーミングおよびＦＤ−ＭＩＭＯのためのＣＳＩフィードバックシグナリングをサポートするワイヤレスデバイスのブロック図を示す。
【図１２】[0041]図１２は、本開示の様々な態様に従って、エレベーションビームフォーミングおよびＦＤ−ＭＩＭＯのためのＣＳＩフィードバックシグナリングをサポートするユーザ機器（ＵＥ）を含むシステムのブロック図を例示する。
【図１３】[0042]図１３は、本開示の様々な態様に従って、エレベーションビームフォーミングおよびＦＤ−ＭＩＭＯのためのＣＳＩフィードバックシグナリングのための方法を例示する。
【図１４】図１４は、本開示の様々な態様に従って、エレベーションビームフォーミングおよびＦＤ−ＭＩＭＯのためのＣＳＩフィードバックシグナリングのための方法を例示する。
【図１５】図１５は、本開示の様々な態様に従って、エレベーションビームフォーミングおよびＦＤ−ＭＩＭＯのためのＣＳＩフィードバックシグナリングのための方法を例示する。
【図１６】図１６は、本開示の様々な態様に従って、エレベーションビームフォーミングおよびＦＤ−ＭＩＭＯのためのＣＳＩフィードバックシグナリングのための方法を例示する。
【図１７】図１７は、本開示の様々な態様に従って、エレベーションビームフォーミングおよびＦＤ−ＭＩＭＯのためのＣＳＩフィードバックシグナリングのための方法を例示する。
【図１８】図１８は、本開示の様々な態様に従って、エレベーションビームフォーミングおよびＦＤ−ＭＩＭＯのためのＣＳＩフィードバックシグナリングのための方法を例示する。
【図１９】図１９は、本開示の様々な態様に従って、エレベーションビームフォーミングおよびＦＤ−ＭＩＭＯのためのＣＳＩフィードバックシグナリングのための方法を例示する。
【図２０】図２０は、本開示の様々な態様に従って、エレベーションビームフォーミングおよびＦＤ−ＭＩＭＯのためのＣＳＩフィードバックシグナリングのための方法を例示する。
【詳細な説明】
【００３２】
[0043]いくつかのワイヤレス通信システムは、ビームフォーミングを使用し得る。ビームフォーミング（空間フィルタリングとも呼ばれ得る）は、送信機（例えば、基地局）において、ターゲット受信機（例えば、ユーザ機器（ＵＥ））の方向に全体のアンテナビームを形成し（shape）および／または操舵する（steer）ために使用され得る信号プロセシング技術である。これは、特定の角度で送信された信号が建設的干渉を経験し一方で、他が相殺的干渉を経験するといった方法で、アレイにおいて要素を組み合わせることによって達成され得る。多入力多出力（ＭＩＭＯ）ワイヤレスシステムは、送信機（例えば、基地局）と受信機（例えば、ＵＥ）との間で、送信スキームを使用し、ここで、送信機と受信機との両方には、複数のアンテナが装備されている（equipped with）。多くのＭＩＭＯシステムは、信号の３次元（３Ｄ）マルチパス伝搬の方位角次元（azimuth dimension）を考慮する。しかしながら、干渉回避における利得（gains）は、仰角（または垂直）次元における動的ビームステアリング（dynamic beam steering）によっても、達成され得る。方位角と仰角との両方の次元でビームフォーミングを使用するＭＩＭＯワイヤレスシステムは、全次元ＭＩＭＯ（ＦＤ−ＭＩＭＯ）と呼ばれ得る。ＭＩＭＯワイヤレスシステムは、仰角次元を有する２次元（２Ｄ）アクティブアンテナアレイ（ＡＡＡ：active-antenna array）を使用し得る。仰角次元は、データ容量を改善させるための仰角次元におけるビームステアリングのために使用され得る。２Ｄ  ＡＡＡは、１次元（１Ｄ）アンテナアレイよりも多くのアンテナポートに対応（accommodate）し得る。
【００３３】
[0044]基地局は、ユーザ機器（ＵＥ）と、ＵＥからアップリンク送信を受信することによって、およびＵＥにダウンリンク送信を送ることによって、通信し得る。ある特定の状況において、基地局は、ダウンリンクチャネル状態に基づいてダウンリンク送信構成を選び得る。ダウンリンクチャネル状態は、チャネル状態情報（ＣＳＩ）レポートの形式で、ＵＥによって基地局に報告され得る。ＵＥは、ＣＳＩデータを基地局に、周期的に、または、基地局からの特定の要求に応答して（例えば、非周期的に）、報告し得る。ＣＳＩ情報は、ＵＥから基地局に、ＣＳＩレポートにおいて、例えば、物理アップリンク制御チャネル（ＰＵＣＣＨ）および／または物理アップリンク共有チャネル（ＰＵＳＣＨ）を介して、送信され得る。ＣＳＩレポートは、チャネル品質インジケータ（ＣＱＩ）、プリコーディングマトリクスインジケータ（ＰＭＩ）、およびランクインジケータ（ＲＩ）を含み得る。基地局に送られるＰＭＩおよびＲＩの組み合わせは、所定のプリコーダコードブックから選択されたプリコーディングマトリクスを示し得る。基地局が仰角（または垂直）次元を、エレベーションビームフォーミング（ＥＢＦ）において、またはＦＤ−ＭＩＭＯのために使用するために、基地局は、基地局が仰角次元と方位角次元との両方に関して送信している先のＵＥ（または移動局）からＣＳＩ情報を受信する必要がある。所定のコードブックは、基地局のアンテナポートの数に関連付けられ得る。しかしながら、多くのコードブックは、１Ｄアンテナに対して最適化されており、ＥＢＦおよび／またはＦＤ−ＭＩＭＯのために使用される２Ｄアンテナに対して最適には機能しない可能性がある。加えて、そのようなコードブックは、ある特定の数のアンテナポートを有するアンテナアレイに対して最適化され得、一方で、ＥＢＦおよび／またはＦＤ−ＭＩＭＯは、より大きい数のアンテナポートを使用し得る。例えば、いくつかの既存のコードブックは、８つまたはより少ないアンテナポートに対して最適化されており、より大きい数のアンテナポート、例えば、１６個（１６）のアンテナポート、を使用するアンテナアレイに対しては最適化されていない。
【００３４】
[0045]本開示の態様は、初めに、ワイヤレス通信システムの文脈で説明される。特定の例がその次に説明される。本開示のこれらおよび他の態様は、エレベーションビームフォーミングおよび全次元多入力多出力（ＦＤ−ＭＩＭＯ）のためのチャネル状態情報（ＣＳＩ）フィードバックシグナリングに関連する装置図、システム図、およびフローチャートによってさらに例示され、それらを参照して説明される。
【００３５】
[0046]図１は、本開示の様々な態様に従って、ワイヤレス通信システム１００の例を例示する。ワイヤレス通信システム１００は、基地局１０５、ユーザ機器（ＵＥ）１１５、およびコア・ネットワーク１３０を含む。いくつかの例において、ワイヤレス通信システム１００は、ロングタームエボリューション（ＬＴＥ）／ＬＴＥ−アドバンスト（ＬＴＥ−ａ）ネットワークであり得る。
【００３６】
[0047]基地局１０５は、１つまたは複数の基地局アンテナを介してＵＥ１１５とワイヤレスで通信し得る。各基地局１０５は、通信カバレッジをそれぞれの地理的カバレッジエリア１１０に提供し得る。ワイヤレス通信システム１００に示される通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は、固定またはモバイルであり得る。ＵＥ１１５はまた、モバイル局、加入者局、遠隔ユニット、ワイヤレスデバイス、アクセス端末、ハンドセット、ユーザエージェント、クライアント、または何らかの他の好適な専門用語で呼ばれ得る。ＵＥ１１５はまた、セルラ電話、ワイヤレスモデム、ハンドヘルドデバイス、パーソナルコンピュータ、タブレット、パーソナル電子デバイス、マシンタイプ通信（ＭＴＣ：machine type communication）デバイスまたは同様のものであり得る。
【００３７】
[0048]複数の基地局１０５は、コア・ネットワーク１３０と、および互いに通信し得る。例えば、基地局１０５は、バックホール・リンク１３２（例えば、Ｓ１等）を通じてコア・ネットワーク１３０とインターフェースし得る。基地局１０５は、（例えば、コア・ネットワーク１３０を通じて）直接的または間接的にのいずれかで、バックホール・リンク１３４（例えば、Ｘ２等）上で互いに通信し得る。基地局１０５は、ＵＥ１１５との通信のために無線構成およびスケジューリングを実行し得るか、または基地局コントローラ（図示せず）の制御下で動作し得る。いくつかの例において、基地局１０５は、マクロセル、スモールセル、ホットスポット、または同様のものであり得る。基地局１０５はまた、ｅノードＢ（ｅＮＢ）１０５と呼ばれ得る。
【００３８】
[0049]ＵＥ１１５は、例えば、多入力多出力（ＭＩＭＯ）、多地点協調（ＣｏＭＰ：Coordinated Multi-Point）、または他のスキームを通じて、複数の発展型ノードＢ（ｅＮＢ）１０５と協調的に通信をするように構成され得る。多入力多出力（ＭＩＭＯ）技術は、複数のデータストリームを送信するためのマルチパス環境を活用するために基地局上の複数のアンテナまたはＵＥ上の複数のアンテナを使用する。ＣｏＭＰは、ネットワークおよびスペクトル利用を増やすことだけでなく、ＵＥに関して全体的な送信品質を改善するための、多数のｅＮＢによる送信および受信の動的調整のための技術を含む。
【００３９】
[0050]ＰＵＣＣＨは、アップリンク（ＵＬ）肯定応答（ＡＣＫ）、スケジューリング要求（ＳＲ）、およびチャネル品質インジケータ（ＣＱＩ）および他のＵＬ制御情報に関して使用され得る。物理アップリンク制御チャネル（ＰＵＣＣＨ）は、コードおよび２つの連続するリソースブロックによって定義される制御チャネルにマッピングされ得る。ＵＬ制御シグナリングは、セルに関するタイミング同期の存在に依存し得る。スケジューリング要求（ＳＲ）およびチャネル品質インジケータ（ＣＱＩ）リポーティングに関するＰＵＣＣＨリソースは、無線リソース制御（ＲＲＣ）シグナリングを通じて、アサインされ（および取り消され（revoked））得る。いくつかの事例において、ＳＲに関するリソースは、ランダムアクセスチャネル（ＲＡＣＨ）手順を通じて、同期を取得した後に、アサインされ得る。他の事例において、ＳＲは、ＲＡＣＨを通じて、ＵＥ１１５にアサインされない可能性がある（すなわち、同期されたＵＥは、専用のＳＲチャネルを有し得るか、または有さない可能性がある）。ＳＲおよびＣＱＩのためのＰＵＣＣＨリソースは、ＵＥがもはや同期されないとき、失われ得る。
【００４０】
[0051]基地局１０５は、チャネルを効率的に構成およびスケジュールするためにＵＥ１１５からチャネル状態情報を収集し得る。この情報は、チャネル状態レポートの形式で、ＵＥ１１５から送られ得る。チャネル状態レポートは、（例えば、ＵＥ１１５のアンテナポートに基づいて）ダウンリンク（ＤＬ）送信に使用されるレイヤの数を要求するランクインジケータ（ＲＩ）、（レイヤの数に基づいて）どのプリコーダマトリクスが使用されるべきかの選好を示すプリコーディングマトリクスインジケータ（ＰＭＩ）、および使用され得る最も  高い変調および符号化方式（ＭＣＳ）を表すＣＱＩを含み得る。ＣＱＩは、セル固有参照信号（ＣＲＳ）またはＣＳＩ−ＲＳのような所定のパイロットシンボルを受信した後に、ＵＥ１１５によって計算され得る。ＲＩおよびＰＭＩは、ＵＥ１１５が、空間多重化をサポートしない（またはサポート空間モードにいない）場合、除外され得る。レポートに含まれる情報のタイプは、レポーティングタイプを決定する。チャネル状態レポートは、周期的または非周期的であり得る。つまり、基地局１０５は、ＵＥ１０５が規則的な間隔で、周期的なレポートを送るように構成し得、また必要に応じて追加のレポートを要求し得る。周期的なレポートは、全部のセル帯域にわたるチャネル品質を示す広帯域のレポート、最善のサブバンドのサブセットを示すＵＥが選択したレポート、または報告されたサブバンドが、基地局１０５によって選択される構成されたレポートを含み得る。
【００４１】
[0052]ワイヤレス通信システム１００のいくつかの部分は、ビームフォーミングを使用し得る。例えば、基地局１０５は、基地局１０５がＵＥ１１５とのそれの通信状態においてビームフォーミングのために使用し得る複数のアンテナポートのいくつかの行および列を持つアンテナアレイを有し得る。基地局１０５は、基地局１０５がＵＥ１１５と通信するために使用するアンテナポート構造に関する情報でのより高いレベルのシグナリングを介してＵＥ１１５を構成し得る。後続の通信の間、ＵＥ１１５が基地局１０５からデータを受信するとき、ＵＥ１１５は、基地局１０５がＥＢＦおよびＦＤ−ＭＩＭＯを使用し得るように、ＣＳＩレポートにおいて通信リンク１２５を介して基地局１０５にＣＳＩ情報を報告し得る。ＣＳＩレポートは、ＵＥ１１５が基地局１０５と通信するとき、周期的にまたは非周期的に、ＰＵＣＣＨおよび/またはＰＵＳＣＨを介して送られ得る。ＥＢＦおよびＦＤ−ＭＩＭＯの仰角次元を考慮するとき、ＣＳＩレポートにおいて送信され得るＣＳＩ情報は、ＣＱＩ（広帯域および／またはサブバンド）、垂直次元のためのＰＭＩ（第１のｖ−ＰＭＩ）、水平次元のためのＰＭＩ（第１のｈ−ＰＭＩ）、ビーム選択（およびいくつかの状況においては交差偏波同相化（cross-polarization co-phasing））を示すＰＭＩ（第２のＰＭＩ）、およびビームのためのランクインジケータ（ＲＩ）のうちの１つまたは複数を含み得る。さらに以下に述べられるように、異なるＣＳＩレポートは、異なる時間で異なるＣＳＩ情報を報告するために使用され得、ＣＳＩ情報のある特定のコンポーネントは、ＣＳＩ情報の他のコンポーネントよりも多かれ少なかれ頻繁に報告され得る。
【００４２】
[0053]図２は、本開示の様々な態様に従って、エレベーションビームフォーミングおよびＦＤ−ＭＩＭＯのためのＣＳＩフィードバックシグナリングのためのワイヤレス通信サブシステム２００の例を例示する。ワイヤレス通信サブシステム２００は、ＵＥ１１５−ａ、ＵＥ１１５−ｂ、ＵＥ１１５−ｃ、ＵＥ１１５−ｄ、および基地局１０５−ａを含み得、それらは、図１を参照して説明されるＵＥ１１５および基地局１０５の例であり得る。基地局１０５−ａは、多数のアンテナ２１０を使用するアンテナアレイ２０５を使用し得る。アンテナアレイ２０５に関して示されるように、アンテナ２１０の各々は、２つの交差偏波アンテナのうちの１つに対応し得る。アンテナアレイ２０５が、アンテナポート構造（ＡＰＳ）におけるアンテナ２１０に交差偏波アンテナのマトリクスを使用する場合、アンテナアレイ２０５は、Ｍ×Ｎ構造において交差偏波アンテナのＭ行および交差偏波アンテナのＮ列を有し得る。一例において、アンテナアレイ２０５は、４×２のＡＰＳにおいて１６個のポートを有するＡＰＳを有し得、それは、２Ｄ  ＡＡＡの一例であり得る。
【００４３】
[0054]基地局１０５−ａは、方位角ビームフォーミングを使用してＵＥ１１５−ａの方にビーム２１５を向けるためにアンテナアレイ２０５を使用し得る。ビーム２１５は、ビーム２１５−ａのようにＵＥ１１５−ａの方に、または、ビーム２１５−ｂのようにビーム２１５−ａに対する方位角で、を含め、方位角によって（azimuthally）向けられ得る。例えば、ＵＥ１１５−ａが方位角によって移動する場合、基地局１０５−ａは、１つまたは複数のＣＳＩレポートを介して、ＵＥ１１５−ａ、およびＵＥ１１５−ａの新しい場所へ向かうビーム２１５−ｂによって例示されるように向けられたビーム２１５から、通知され得る。
【００４４】
[0055]本明細書に説明される様々な態様によると、基地局１０５−ａはまた、エレベーションビームフォーミングを使用して、ビーム２１５をＵＥ１１５の方に向けるためにアンテナアレイ２０５を使用し得る。ビーム２１５は、ビーム２１５−ｃのようにＵＥ１１５−ｂの方に、またはビーム２１５−ｄのようにビーム２１５−ｃに対する仰角Θで、を含め、仰角次元において向けられ得る。例えば、ＵＥ１１５−ａが仰角次元において、例えば、建物内において垂直に、移動する場合、基地局１０５−ａは、１つまたは複数のＣＳＩレポートを介して、ＵＥ１１５−ｂ、およびＵＥ１１５−ｂの新しい場所へ向かうビーム２１５−ｄによって例示されるように向けられたビーム２１５から、通知され得る。
【００４５】
[0056]図３は、本開示の様々な態様に従って、エレベーションビームフォーミングおよびＦＤ−ＭＩＭＯのためのＣＳＩフィードバックシグナリングのためのアンテナポート構成フロー図３００の例を例示する。フロー図３００は、ＵＥ１１５−ｃおよび基地局１０５−ｂを含み得、それは、図１〜２を参照して説明されるＵＥ１１５および基地局１０５の例であり得る。基地局１０５−ｂは、ＵＥ１１５−ｃがＥＢＦおよびＦＤ−ＭＩＭＯと一致して動作し得るように、基地局１０５−ｂのアンテナポート構造（ＡＰＳ）でＵＥ１１５−ｃを構成し得る。基地局１０５−ｂは、上位レイヤ（higher-layer）シグナリングを介して、ＡＰＳに関する情報を含むＵＥ１１５−ｃにアンテナポート構成メッセージ３０５を送信する。アンテナポート構成メッセージ３０５は、アンテナポートの行の数（Ｍ）、アンテナポートの列（Ｎ）の数、および／またはアンテナポートの偏波の数（Ｐ）を含む、いくつかのＡＰＳ構成パラメータを示し得る。偏波の数に関して、「１」というインジケータは、アンテナポートが主偏波されている（co-polarized）ということを示し得、一方で、「０」というインジケータは、例えば、図２のアンテナアレイ２０５について示されるように、アンテナポートが交差偏波していることを示し得る。ブロック３１０において、ＵＥ１１５-ｃは、もしあれば、アンテナ構成メッセージ３０５において基地局１０５-ｂによって明示的に通信されていなかったＡＰＳに関して、残りの構成パラメータを決定するために、アンテナポート構成メッセージ３０５に含まれるＡＰＳ構成情報を使用し得る。黙示的に決定されるＡＰＳ構成パラメータだけでなく、明示的に通信されるＡＰＳ構成パラメータに基づいて、ＵＥ１１５-ｃは、次いで、ブロック３１５においてＡＰＳに従って構成され得る。一旦、基地局１０５-ｂのＡＰＳに関して構成されると、ＵＥ１１５-ｃは、次いで、データ送信３２０を基地局１０５-ｂに送信し得、基地局１０５-ｂからデータ送信３２０を受信し得る。
【００４６】
[0057]アンテナポート構成メッセージ３０５の一例において、ＡＰＳ構造パラメータ（Ｍ、Ｎ、およびＰ）の各々は、明示的に通信され得る。
【００４７】
[0058]アンテナポート構成メッセージ３０５の第２の例において、ＡＰＳの行と列の数（ＭおよびＮ）は、明示的に通信され得、アンテナポートの偏波の数（Ｐ）は、Ｍ、Ｎ、および他の構成シグナリングに基づいてＵＥ１１５−ｃによって決定される。例えば、ＵＥ１１５−ｃは、ＵＥ１１５-ｃが、基地局ＡＰＳが主偏波アンテナを使用するかまたは交差偏波アンテナを使用するかを含め、Ｐを決定するように動作するように構成される送信モードに関する情報と一緒にＭおよびＮを使用し得る。
【００４８】
[0059]アンテナポート構成メッセージ３０５の第３の例において、ＡＰＳの行の数（Ｍ）または列の数（Ｎ）のいずれかは、明示的に通信され得、ＮまたはＭのいずれかだけでなく、アンテナポートの偏波の数（Ｐ）は、それぞれ、ＵＥ１１５−ｃによって決定され得る。ＵＥ１１５−ｃは、ＭまたはＮから、それぞれ、ＰおよびＮまたはＭのいずれかをそれぞれ、決定または導出し得る。例えば、ＵＥ１１５−ｃが２つのＣＳＩ−ＲＳリソースをサポートするように構成される場合において、ＣＳＩ−ＲＳが、８レイヤ（8-layer）の空間多重化をサポートし、Ｍが、明示的に、アンテナポート構成メッセージ３０５によって、２つ（２）であるように構成されるとき、ＵＥ１１５−ｃは、Ｎ＊Ｐは、８つ（８）であることを決定し得る。
【００４９】
[0060]さらに上記と以下に述べられるように、ＵＥ１１５-ｃは、ブロック３２５において基地局１０５-ｂと通信している間に、ある特定のＣＳＩを決定し得る。そのようなＣＳＩは、基地局１０５−ｂのＡＰＳとの通信に関連付けられたＣＴＩ、ＣＱＩ、ＰＭＩ、およびＲＩを含み得る。さらに以下に述べられるように、特に図５〜７に関連して、ＣＴＩ、ＣＱＩ、（第１のｖ−ＰＭＩ、第１のｈ−ＰＭＩ、および／または第２のＰＭＩを含み得る）ＰＭＩ、およびＲＩのうちの１つまたは複数を含む１つまたは複数のＣＳＩレポート３３０は、次いで、ＵＥ１１５−ｃから基地局１０５−ｂへ送信され得る。報告されたＣＴＩは、コードブックのセットにおけるどのコードブックが特定のＡＰＳのために使用されるべきかを基地局１０５−ｂに示し得る。
【００５０】
[0061]本明細書で述べられる、ＰＭＩを含む、ＣＳＩは、ＵＥ１１５−ｃにおけるダウンリンクチャネル状態に関して基地局１０５−ｂに情報を提供するために使用され得る。ＥＢＦおよび／またはＦＤ−ＭＩＭＯを行うために基地局１０５−ｂが２Ｄアンテナアレイを使用する場合、ＰＭＩは、第１のｖ−ＰＭＩ（ｉ1V）、第１のｈ−ＰＭＩ（ｉ1H）、および／または第２のＰＭＩ（ｉ2）を含む、コードブックインデックスのタプルに対応し得る。これらの３つのコードブックのインデックスの各々は、以下の通り、ＲＩ（ｖ）およびＣＴＩ（ｃ）に基づく値を表し得る。
【００５１】
【数１】
0006724132.tif 000002
【００５２】
各コードインデックスは、構成されたＡＰＳ、報告されたＣＴＩ、および報告されたＲＩに関連付けられたコードブックセットにおいて定義されるプリコーディングマトリクスに対応し得る。ＣＴＩおよびＲＩはまた、各々、報告された第１のｖ−ＰＭＩ（ｉ1V）、第１のｈ−ＰＭＩ（ｉ1H）、および／または第２のＰＭＩ（ｉ2）と同じＣＳＩレポートであろうと異なるＣＳＩレポートであろうと、ＣＳＩレポートで通信され得る。つまり、所与の構成されたＡＰＳ、ＣＴＩ、およびＲＩに関して、以下の３つのコードブック、第１の垂直コードブック（ｉ1Vによって示される）、第１の水平コードブック（ｉ1Hによって示される）、および第２のコードブック（ｉ2によって示される）が存在する。第１の垂直コードブックおよび第１の水平コードブックは、ＣＴＩの異なる値に関して同じであり得ることを留意されたい。その事例において、ＣＴＩは、 第２のコードブックのサブサンプリングパターンと同じであり得る。
【００５３】
[0062]上記で説明された第１の垂直コードブック、第１の水平コードブック、および第２のコードブックのうちの１つまたは複数は、ＡＰＳまたはＣＴＩに依存し得る。第１の垂直コードブックは、基地局１０５−ｂにおけるＡＰＳのアンテナポートの行の数（Ｍ）に関連付けられ得、第１の水平コードブックは、ＡＰＳのアンテナポートの列の数（Ｎ）に関連付けられ得る。上記で説明されるように、ＵＥ１１５−ｃは、アンテナポート構成の間、基地局１０５−ｂによって、これらのＡＰＳパラメータで構成され得る。第２のコードブックは、ＡＰＳに依存する必要がない。コードブックのうちの少なくとも１つは、ＣＴＩに依存し得、一方で、残りの２つのコードブックは、その必要はないが、ＣＴＩに依存し得る。つまり、ＣＳＩにおいて報告されたＣＴＩは、第１の垂直コードブックのセット、第１の水平コードブックのセット、および第２のコードブックのセットのうちの少なくとも１つの中から選択すべきコードブックを示し得る。
【００５４】
[0063]ＡＰＳの行および列の所与の数（ＭおよびＮ）、偏波数（Ｐ）、ＲＩ（ｖ）、およびＣＴＩ（ｃ）に関して、第１のｖ−ＰＭＩ（ｉ1V）、第１のｈ−ＰＭＩ（ｉ1H）、および第２のＰＭＩ（ｉ2）から特定のプリコーディングマトリクスを決定するためのやり方の例は、以下の数式により与えられる。
【００５５】
【数２】
0006724132.tif 000003
【００５６】
この数式４において、ｃ、ＣＴＩ、は、値ｃ＝０，１，…，ｃmax−１を有し得る。
【００５７】
【数３】
0006724132.tif 000004
【００５８】
は、ｃのＣＴＩに関連付けられたｖレイヤの第１の垂直コードブックにおけるμ番目のマトリクスを表す。
【００５９】
【数４】
0006724132.tif 000005
【００６０】
は、ｃのＣＴＩに関連付けられたｖレイヤの第１の水平コードブックにおけるη番目のマトリクスを表す。
【００６１】
【数５】
0006724132.tif 000006
【００６２】
は、ｃのＣＴＩに関連付けられたｖレイヤの第２のコードブックにおけるｉ２番目のマトリクスを表す。
【００６３】
[0064]第１の垂直コードブックの例が続き、ここで、第１の垂直コードブックは、ＡＰＳの行の数（Ｍ）、ＲＩ（ｖ）、およびＣＴＩ（ｃ）に関連付けられる。第１の垂直コードブックにおけるコードワードは、次の構造を有する。
【００６４】
【数６】
0006724132.tif 000007
【００６５】
数式５において、
【００６６】
【数７】
0006724132.tif 000008
【００６７】
であり、ここで、
【００６８】
【数８】
0006724132.tif 000009
【００６９】
および、ｋ＝０，１，…，ＬVＭ−１，ｍ＝１，２，…，Ｍである。
μ＝μ（ｉ1V，ｉ1H）は、（ｉ1V，ｉ1H）に対応するコードワードのインデックスを表す。例となる事例において、μ＝μ（ｉ1V）であり、つまり、μはただ、ｉ1Vに依存する。
【００７０】
【数９】
0006724132.tif 000010
【００７１】
は、ビームのグループにおける第１のビームのインデックスを表す。
【００７２】
【数１０】
0006724132.tif 000011
【００７３】
は、ビームストライド（beam stride）を表す。例となる構成において、第１の垂直コードブックにおけるコードワード、ｃ＝０，１に対して
【００７４】
【数１１】
0006724132.tif 000012
【００７５】
【数１２】
0006724132.tif 000013
【００７６】
，
【００７７】
【数１３】
0006724132.tif 000014
【００７８】
，および
【００７９】
【数１４】
0006724132.tif 000015
【００８０】
である。第１の垂直コードブックにおけるコードワードに関する他の構成は、当業者に容易に理解され得る。
【００８１】
[0065]上記の数式５は、第１の垂直コードブックの例を与える。以下に続く数式６は、第１の水平コードブックの例を与え、ここで、第１の水平コードブックは、ＡＰＳ（Ｎ）の列の数、ＲＩ（ｖ）、およびＣＴＩ（ｃ）に関連付けられる。第１の垂直コードブックにおけるコードワードは、次の構造を有する。
【００８２】
【数１５】
0006724132.tif 000016
【００８３】
数式６において、
【００８４】
【数１６】
0006724132.tif 000017
【００８５】
であり、ここで、
【００８６】
【数１７】
0006724132.tif 000018
【００８７】
および、ｋ＝０，１，…，ＬHＮ−１，ｎ＝１，２，…，Ｎである。η＝η（ｉ1V，ｉ1H）は、（ｉ1V，ｉ1H）に対応するコードワードのインデックスを表す。例となる事例において、η＝η（ｉ1H）、つまり、ηはただ、ｉ1Hに依存する。
【００８８】
【数１８】
0006724132.tif 000019
【００８９】
は、ビームのグループにおける第１のビームのインデックスを表す。
【００９０】
【数１９】
0006724132.tif 000020
【００９１】
は、ビームストライドを表す。例となる構成において、第１の水平コードブックにおけるコードワードは、
ｖ＝１，２；ｃ＝０，１に対して
【００９２】
【数２０】
0006724132.tif 000021
【００９３】
；ｖ＝３，４；ｃ＝０，１に対して
【００９４】
【数２１】
0006724132.tif 000022
【００９５】
；
【００９６】
【数２２】
0006724132.tif 000023
【００９７】
；
【００９８】
【数２３】
0006724132.tif 000024
【００９９】
；およびｖ＝１，２；ｃ＝０，１に対して
【０１００】
【数２４】
0006724132.tif 000025
【０１０１】
；ｖ＝３，４；ｃ＝０，１に対して
【０１０２】
【数２５】
0006724132.tif 000026
【０１０３】
である。第１の水平コードブックにおいてコードワードに関する他の構成は、当業者に容易に理解され得る。
【０１０４】
[0066]以下に続く数式７は、第２のコードブックの例を与え、ここで、第２のコードブックは、ＲＩ（ｖ）、およびＣＴＩ（ｃ）に関連付けられる。第２のコードブックは、ビームフォーミング方向のうちのどれが送信のために選択されるべきかを示す。第２のコードブックにおけるコードワードは、次の構造を有する。
【０１０５】
【数２６】
0006724132.tif 000027
【０１０６】
ここで、マトリクスにおける列の数は、ランク、すなわちＲＩ（ｖ）の値に依存し得る。数式７において、
【０１０７】
【数２７】
0006724132.tif 000028
【０１０８】
は、
【０１０９】
【数２８】
0006724132.tif 000029
【０１１０】
ビームからのビーム選択（Ｐ＝２である場合、交差偏波同相化)を示す
【０１１１】
【数２９】
0006724132.tif 000030
【０１１２】
マトリクスを表す。
【０１１３】
【数３０】
0006724132.tif 000031
【０１１４】
およびｒ＝１，２，…，ｖ、ここで、
【０１１５】
【数３１】
0006724132.tif 000032
【０１１６】
である。
【０１１７】
【数３２】
0006724132.tif 000033
【０１１８】
およびｒ＝１，２，…，ｖは、Ｐ＝２である場合、交差偏波同相化を表す。第２のコードブックにおけるコードワードのための例となる構成において、Ｌ＝４および
【０１１９】
【数３３】
0006724132.tif 000034
【０１２０】
である。第２のコードブックにおけるコードワードのための他の構成は、当業者に理解され得る。
【０１２１】
[0067]図４は、本開示の様々な態様に従って、エレベーションビームフォーミングおよびＦＤ−ＭＩＭＯのためのＣＳＩフィードバックシグナリングを行うときのコードブックサブセットの制限のためのフロー図４００の例を例示する。フロー図４００は、ＵＥ１１５−ｄおよび基地局１０５−ｃを含み得、それらは、図１〜３を参照して説明されるＵＥ１１５および基地局１０５の例であり得る。基地局１０５−ｃは、コードブック制限パラメータ４０５を、単独でまたは上位レイヤシグナリングによって構成された別のメッセージの部分としてのいずれかで、ＵＥ１１５−ｄによって受信されるために、送り得る。第１のｖ−ＰＭＩ、第１のｈ−ＰＭＩ、および第２のＰＭＩを含むＰＭＩで、ＵＥは、１Ｄアンテナアレイに関してよりも２Ｄアンテナアレイに関して、ＣＳＩレポーティングの部分としてＰＭＩを計算する増加したリソースの量を消費し得る。結果として、ＵＥ１１５−ｄの計算リソースは、ＰＭＩ、ＲＩ、およびＣＴＩのＣＳＩレポーティングをコードブックの合計数のサブセット内となるように制限することによって、保存され得る。そのようなコードブックサブセットの制限は、第１の垂直コードブック、第１の水平コードブック、第２のコードブック、および／またはＣＴＩのために別々に構成され得る。一例において、ビットマップは、ビット系列ａA-1，…，ａ3，ａ2，ａ1，ａ0を形成し、ここで、その系列において、ａ0は、最下位ビット（ＬＳＢ：least significant bit）であり、ａA-1は、最上位ビット（ＭＳＢ：most significant bit）である。ビット系列は、構成されたＡＰＳに関連付けられた全てのコードブックセットにおける第１のｖ−ＰＭＩおよび第１のｈ−ＰＭＩ（ｉiV，ｉiH）の全ての有効ペアのセットと１対１の対応である。ビット系列において、「１」というビット値は、ＰＭＩ／ＲＩ／ＣＴＩレポーティングが対応するプリコーディングマトリクスまたは複数のマトリクスに許可されていることを示し、「０」というビット値は、ＰＭＩ／ＲＩ／ＣＴＩレポーティングが対応するプリコーディングマトリクスに許可されていないことを示す。他の例において、「０」は、レポーティングが許可されていることを示し得、「１」は、レポーティングが許可されていないことを示し得る。ビット系列（Ａ）の長さは、次の数式から決定され得る。
【０１２２】
【数３４】
0006724132.tif 000035
【０１２３】
【数３５】
0006724132.tif 000036
【０１２４】
である。
数式８において、ｖmaxは、コードブックセットによってサポートされるレイヤの最大数を表し、ｃmaxは、構成されたＡＰＳに関連付けられたコードブックセットの合計数を表す。
【０１２５】
【数３６】
0006724132.tif 000037
【０１２６】
は、使用され得る第１の垂直コードブックの数を表し、
【０１２７】
【数３７】
0006724132.tif 000038
【０１２８】
は、使用され得る第１の水平コードブックの数を表す。
【０１２９】
[0068]ＵＥ１１５−ｄがデータ送信４１０を受信した後、ＵＥ１１５−ｄは、のちにこれらの送信に関連付けられたＣＳＩを決定し得、それは、例えば、図３のブロック３２５に関連して上記で述べられるように、ＰＭＩを選択することを含み得る。ＰＭＩを選択することを含め、ＣＳＩを決定する間、ＵＥ１１５−ｄは、第１の垂直コードブック、第１の水平コードブック、第２のコードブックの数、および／またはＣＴＩを、これらコードブックのサブセット、および／または、ＣＳＩレポートにおいて、第１のｖ−ＰＭＩ、第１のｈ−ＰＭＩ、および／または第２のＰＭＩを含む、含むべきＰＭＩを選択するときに使用され得るＣＴＩの値に制限するために、上記に説明されるように制限パラメータを適用し得る。ＵＥ１１５−ｄは、次いで、コードブックの制限されたサブセットに一致するＰＭＩに関する選択と一致するＣＳＩを含む、ＣＳＩレポートを送り得る。
【０１３０】
[0069]コードブックサブセットの制限の例が、以下に続く。この例において、ビット
【０１３１】
【数３８】
0006724132.tif 000039
【０１３２】
は、
【０１３３】
【数３９】
0006724132.tif 000040
【０１３４】
に関連し、
ここで、
【０１３５】
【数４０】
0006724132.tif 000041
【０１３６】
である。コードブックサブセットの制限に関するこれらの定式は、ビット
【０１３７】
【数４１】
0006724132.tif 000042
【０１３８】
である場合、ＣＳＩがＣＳＩレポート４２０として報告されるが、しかし、
【０１３９】
【数４２】
0006724132.tif 000043
【０１４０】
である場合、ＣＳＩはＣＳＩレポート４２０としては報告されない、というように、インデックスを報告するべきかどうかを決定するために使用され得る。
【０１４１】
[0070]異なるＣＳＩレポートは、基地局に異なる時間でＵＥ１１５によって送られ得る。いくつかの例において、ＣＳＩレポートは、ＰＵＳＣＨを使用して、非周期的に送られ得る。ＰＵＳＣＨは、ＣＳＩがＰＵＣＣＨを使用するときよりも大きな数のビットで、ＵＥ１１５から基地局１０５にフィードバックされ得るように、送られるべきＣＳＩレポートへサイズ制限を課さない可能性があり、ここで、ＣＳＩレポートのペイロードサイズは、より多く制限され得る。
【０１４２】
[0071]第１の例において、ＵＥ１１５は、ＲＩ、広帯域のＣＴＩ、広帯域の第１のｖ−ＰＭＩ、広帯域の第１のｈ−ＰＭＩ、広帯域またはサブバンドの第２のＰＭＩを報告し、広帯域またはサブバンドのＣＱＩは、ＵＥ１１５によって報告され得る。サブバンドのレポーティングの使用は、異なるサブバンドについて報告されるための異なる値をもたらし（result in）得る。
【０１４３】
[0072]第２の例において、第２のコードブックは、ＣＴＩの値に依存するが、しかし、第１の水平コードブックおよび第１の垂直コードブックは、各々、ＣＴＩの値から独立である（共通のコードブックが、ＣＴＩの異なる値のために使用される）。この第２の例において、ＣＴＩは、異なるサブバンドについて異なって報告し得る。このような事例において、ＲＩ、広帯域の第１のｖ−ＰＭＩ、広帯域の第１のｈ−ＰＭＩ、広帯域またはサブバンドのＣＴＩ、広帯域またはサブバンドの第２のＰＭＩ、および広帯域またはサブバンドのＣＱＩは、ＵＥ１１５によって報告され得る。例えば、異なるサブバンドがＣＴＩの異なる値を報告するので、サブバンドに特有のレポーティングが、起こり得る。
【０１４４】
[0073]第３の例において、第２の例のように、第１の水平コードブックおよび第１の垂直コードブックは、各々、ＣＴＩの値から独立であるが、しかし、第２のコードブックはＣＴＩの値に依存する。この第３の例において、広帯域のＣＴＩまたはサブバンドのＣＴＩは、ＲＩの値に依存して報告され得る。例えば、ＲＩが「１」の場合、広帯域のＣＴＩは、ＵＥ１１５によって報告され得、ＲＩが「１」よりも大きい場合、サブバンドのＣＴＩは、ＵＥ１１５によって報告され得る。
【０１４５】
[0074]ＣＳＩを非周期的に送信するためにＰＵＳＣＨを使用することに加え、または替わって、ＵＥ１１５は、多様なＣＳＩレポーティングモードのうちの１つまたは複数に従って、ＰＵＣＣＨ上のＣＱＩ、ＰＭＩ、ＰＴＩ、および／またはＲＩを含む、異なるＣＳＩを周期的にフィードバックするために、上位レイヤによって半静的に（semi-statically）構成され得る。一例において、ＵＥ１１５は、ＰＵＣＣＨを使用してＣＳＩを周期的にフィードバックするように構成され、ＣＴＩは、ＣＳＩの部分としてはＵＥ１１５によって報告されない。ＵＥ１１５は、上位レイヤシグナリングによって構成され得るか、または所定のＣＴＩであるＣＴＩを仮定する（assuming）ことによって、ＣＱＩ、ＰＭＩ、および／またはＲＩを決定し得る。
【０１４６】
[0075]いくつかの例において、ＵＥ１１５は、ＰＭＩ／ＲＩレポーティングによって構成され得、ＵＥ１１５は、上位レイヤシグナリングを介して、基地局１０５によってＵＥ１１５において構成される異なる周期的なＣＳＩレポーティングモードをサポートし得る。ＰＵＣＣＨを使用するとき、ＣＳＩレポーティングに使用可能であるペイロードサイズは制限され得、ＣＳＩは、異なる時間で送られ得る１つ以上のＣＳＩレポートタイプにおいてＥＢＦおよびＦＤ−ＭＩＭＯに関して報告され得、ＣＳＩのある特定の部分はいくつかのＣＳＩレポートタイプにおいて送られ、ＣＳＩの他のある特定の部分は他のＣＳＩレポートタイプにおいて送られる。表１は、一例に従って、異なる時間において、ＵＥ１１５から基地局１０５に送られ得る８つのＣＳＩレポートタイプを例示する。そのようなＣＳＩレポートタイプは、区別できる期間およびオフセットでフィードバックされ得る。表１におけるＣＳＩレポートタイプの各々は、優先グループにアサインされ得る。（最も高い優先度を有する）優先グループ１は、ＣＳＩレポートタイプ１および４（ＲＩに一般に関する）を有し得る。（２番目にの高い優先度を有する）優先グループ２は、ＣＳＩレポートタイプ２および７（第１のｖ−ＰＭＩおよび／または第１のｈ−ＰＭＩに一般に関する）を含み得る。（３番目に高い優先度を有する）優先グループ３は、ＣＳＩレポートタイプ３、５、および６（広帯域のＣＱＩに一般に関する）を含み得る。そして、（最も低い優先度を有する）優先グループ４は、ＣＳＩレポートタイプ８（サブバンドのＣＱＩに一般に関する）を含み得る。
【０１４７】
【表１】
0006724132.tif 000044
【０１４８】
[0076]図５は、本開示の様々な態様に従って、エレベーションビームフォーミングおよびＦＤ−ＭＩＭＯのためのＣＳＩフィードバックシグナリングのための信号フロー５００の例を例示する。信号フロー５００は、第１のＣＳＩレポーティングモードを表し得、ＵＥ１１５から基地局１０５への送信を含み得る。ＵＥ１１５から基地局１０５は、図１〜４を参照して説明されるＵＥ１１５および基地局１０５の例であり得る。このモードに従ったＣＳＩレポーティングは、ＣＳＩレポートの異なるタイプを使用し得る。
【０１４９】
[0077]第１のＣＳＩレポートタイプ５１０は、ＲＩおよび第１のｖ−ＰＭＩを、ＭＲＩ・Ｈ・Ｎｐｄサブフレームによって定義されるサブフレームにおける周期性で報告し得る。第１のＣＳＩレポートタイプ５１０は、ＮＯＦＦＳＥＴ，ＲＩおよびＮＯＦＦＳＥＴ，ＣＱＩの合計によって定義される相対的なオフセットを有し得る。第２のＣＳＩレポートタイプ５２０は、第１のｈ−ＰＭＩを、Ｈ・Ｎｐｄサブフレームによって定義されるサブフレームにおける周期性で報告し得る。第２のＣＳＩレポートタイプ５２０は、ＮＯＦＦＳＥＴ，ＣＱＩによって定義される相対的なオフセットを有し得る。第３のＣＳＩレポートタイプ５３０は、広帯域のＣＱＩおよび第２のＰＭＩを、Ｎｐｄサブフレームによって定義されるサブフレームにおける周期性で報告し得る。第３のＣＳＩレポートタイプ５３０は、ＮＯＦＦＳＥＴ，ＣＱＩによって定義される相対的なオフセットを有し得る。ＭＲＩ、Ｈ、Ｎｐｄ、ＮＯＦＦＳＥＴ，ＲＩ、およびＮＯＦＦＳＥＴ，ＣＱＩの各々は、基地局１０５からの上位レイヤシグナリングによって構成され得る。
【０１５０】
[0078]図５において例示されるように、第１のＣＳＩレポートタイプ５１０、第２のＣＳＩレポートタイプ５２０、および第３のＣＳＩレポートタイプ５３０の各々は、それらのそれぞれの周期性に従って、異なる時間で送られ得、それらのタイミングがかち合う（conflict）とき、第１のＣＳＩレポートタイプ５１０は、第２のＣＳＩレポートタイプ５２０に優先し、それらのタイミングがかち合うとき、第２のＣＳＩレポートタイプ５２０は、第３のＣＳＩレポートタイプ５３０に優先する。信号フロー５００において例示される特定の例において、第１のＣＳＩレポートタイプ５１０−ａは、信号フロー５００によって後続され、それは第１のＣＳＩレポートタイプ５１０−ａによって後続され、それは第２のＣＳＩレポートタイプ５２０−ａによって後続され、それは第３のＣＳＩレポートタイプ５３０−ａによって後続され、それは第３のＣＳＩレポートタイプ５３０のＨ−１によって後続され、第３のＣＳＩレポートタイプ５３０−ｂで終わり、それは、第２のＣＳＩレポートタイプ５２０−ｂによって後続され、など、第１のＣＳＩレポートタイプ５１０−ｂの次のインスタンスまで続く。このように、ＣＳＩは、ＥＢＦおよびＦＤ−ＭＩＭＯをサポートするために、３つの異なるＣＳＩレポートを使用して報告される。
【０１５１】
[0079]図６Ａおよび図６Ｂは、本開示の様々な態様に従って、エレベーションビームフォーミングおよびＦＤ−ＭＩＭＯのためのＣＳＩフィードバックシグナリングのための信号フロー６００および６０１の例を例示する。信号フロー６００および６０１は、第２のＣＳＩレポーティングモードを表し得、およびＵＥ１１５から基地局１０５への送信を含み得る。ＵＥ１１５から基地局１０５は、図１〜５を参照して説明されるＵＥ１１５および基地局１０５の例であり得る。このモードに従ったＣＳＩレポーティングは、ＣＳＩレポートの異なるタイプを使用し得、ＰＴＩのレポーティングを含み得る。信号フロー６００は、ＰＴＩが第１の値「０」で報告される事例を例示し、信号フロー６０１は、ＰＴＩが第１の値「０」で報告される事例を例示する。信号フロー６００は、ＵＥ１１５が大きい方位角の角度広がり（angular spread）を有し、よって、第１のｈ−ＰＭＩが、第１のｖ−ＰＭＩよりもより頻繁に報告され得る状況に適切であり得る。信号フロー６０１は、ＵＥ１１５が大きい仰角の角度広がりを有し、よって、第１のｖ−ＰＭＩが、第１のｈ−ＰＭＩよりもより頻繁に報告され得る状況に適切であり得る。
【０１５２】
[0080]図６Ａを参照すると、第１のＣＳＩレポートタイプ６１０は、ＲＩおよびＰＴＩ（ここで、ＰＴＩ＝０）を、ＭＲＩ・Ｈ・Ｎｐｄサブフレームによって定義されるサブフレームにおける周期性で報告し得る。第１のＣＳＩレポートタイプ６１０は、ＮＯＦＦＳＥＴ，ＲＩおよびＮＯＦＦＳＥＴ，ＣＱＩの合計によって定義された相対的なオフセットを有し得る。第２のＣＳＩレポートタイプ６２０は、第１のｖ−ＰＭＩを、Ｈ・Ｎｐｄサブフレームによって定義されるサブフレームにおける周期性で報告し得る。第２のＣＳＩレポートタイプ６２０は、ＮＯＦＦＳＥＴ，ＣＱＩによって定義される相対的なオフセットを有し得る。第３のＣＳＩレポートタイプ６３０は、第１のｈ−ＰＭＩ、広帯域のＣＱＩ、および第２のＰＭＩを、Ｎｐｄサブフレームによって定義されるサブフレームにおける周期性で報告し得る。第３のＣＳＩレポートタイプ６３０は、ＮＯＦＦＳＥＴ，ＣＱＩによって定義される相対的なオフセットを有し得る。
【０１５３】
[0081]図６Ｂを参照すると、第１のＣＳＩレポートタイプ６１０は、ＲＩおよびＰＴＩ（ここで、ＰＴＩ＝１）を、ＭＲＩ・Ｈ・Ｎｐｄサブフレームによって定義されるサブフレームにおける周期性で報告し得る。第４のＣＳＩレポートタイプ６４０は、第１のｈ−ＰＭＩを、Ｈ・Ｎｐｄサブフレームによって定義されるサブフレームにおける周期性で報告し得る。第４のＣＳＩレポートタイプ６４０は、ＮＯＦＦＳＥＴ，ＣＱＩによって定義される相対的なオフセットを有し得る。第５のＣＳＩレポートタイプ６５０は、第１のｖ−ＰＭＩ、広帯域のＣＱＩ、および第２のＰＭＩを、Ｎｐｄサブフレームによって定義されるサブフレームにおける周期性で報告し得る。第５のＣＳＩレポートタイプ６５０は、ＮＯＦＦＳＥＴ，ＣＱＩによって定義される相対的なオフセットを有し得る。
【０１５４】
[0082]図６Ａおよび６Ｂにおいて例示されるように、第１のＣＳＩレポートタイプ６１０、第２のＣＳＩレポートタイプ６２０、第３のＣＳＩレポートタイプ６３０、第４のＣＳＩレポートタイプ６４０、および第５のＣＳＩレポートタイプ６５０の各々は、それらのそれぞれの周期性に従って、異なる時間で送られ得、ＣＳＩレポートのタイミングがかち合うとき、より短い周期性を有するレポートタイプは、より長い周期性を有するＣＳＩレポートタイプに優先する。
【０１５５】
[0083]図７Ａおよび７Ｂは、本開示の様々な態様に従って、エレベーションビームフォーミングおよびＦＤ−ＭＩＭＯのためのＣＳＩフィードバックシグナリングのための信号フロー７００および７０１の例を例示する。信号フロー７００および７０１は、第３のＣＳＩレポーティングモードを表し得、ＵＥ１１５から基地局１０５への送信を含み得る。ＵＥ１１５から基地局１０５は、図１〜６を参照して説明されるＵＥ１１５および基地局１０５の例であり得る。このモードに従ったＣＳＩレポーティングは、ＣＳＩレポートの異なるタイプを使用し得、ＰＴＩのレポーティングを含み得る。信号フロー７００は、ＰＴＩが第１の値「０」で報告される事例を例示し、信号フロー７０１は、ＰＴＩが第１の値「０」で報告される事例を例示する。信号フロー７００は、ＵＥ１１５が広帯域のＣＱＩを報告し得る状況に適切であり得る。信号フロー７０１は、ＵＥ１１５がサブバンドのＣＱＩのいくつかのレポートによって後続される広帯域のＣＱＩを報告し得る、例えば、チャネルが増加された周波数の選択性を提示する状況に適切であり得る。
【０１５６】
[0084]図７Ａを参照すると、第１のＣＳＩレポートタイプ７１０は、ＲＩおよびＰＴＩ（ここで、ＰＴＩ＝０）を、ＭＲＩ・Ｈ・Ｎｐｄサブフレームによって定義されるサブフレームにおける周期性で報告し得る。第１のＣＳＩレポートタイプ７１０は、ＮＯＦＦＳＥＴ，ＲＩおよびＮＯＦＦＳＥＴ，ＣＱＩの合計によって定義される相対的なオフセットを有し得る。第２のＣＳＩレポートタイプ７２０は、第１のｖ−ＰＭＩおよび第１のｈ−ＰＭＩを、Ｈ・Ｎｐｄサブフレームによって定義されるサブフレームにおける周期性で報告し得る。第２のＣＳＩレポートタイプ７２０は、ＮＯＦＦＳＥＴ，ＣＱＩによって定義される相対的なオフセットを有し得る。第３のＣＳＩレポートタイプ７３０は、広帯域のＣＱＩおよび第２のＰＭＩを、Ｎｐｄサブフレームによって定義されるサブフレームにおける周期性で報告し得る。第３のＣＳＩレポートタイプ７３０は、ＮＯＦＦＳＥＴ，ＣＱＩによって定義される相対的なオフセットを有し得る。
【０１５７】
[0085]図７Ｂを参照すると、第１のＣＳＩレポートタイプ７１０は、ＲＩおよびＰＴＩ（ここで、ＰＴＩ＝１）を、ＭＲＩ・Ｈ・Ｎｐｄサブフレームによって定義されるサブフレームにおける周期性で、報告し得る。第３のＣＳＩレポートタイプ７３０は、広帯域のＣＱＩおよび第２のＰＭＩを、Ｈ・Ｎｐｄサブフレームによって定義されるサブフレームにおける周期性で報告し得る。第４のＣＳＩレポートタイプ７４０は、次いで、サブバンドのＣＱＩおよび第２のＰＭＩを、Ｎｐｄサブフレームによって定義されるサブフレームにおける周期性で報告し得る。第４のＣＳＩレポートタイプ７４０は、ＮＯＦＦＳＥＴ，ＣＱＩによって定義される相対的なオフセットを有し得る。
【０１５８】
[0086]図７Ａおよび図７Ｂにおいて例示されるように、第１のＣＳＩレポートタイプ７１０、第２のＣＳＩレポートタイプ７２０、第３のＣＳＩレポートタイプ７３０、および第４のＣＳＩレポートタイプ７４０の各々は、それらのそれぞれの周期性に従って、異なる時間で送られ得、ＣＳＩレポートのタイミングがかち合うとき、より短い周期性を有するレポートタイプは、より長い周期性を有するＣＳＩレポートタイプに優先する。
【０１５９】
[0087]図８は、本開示の様々な態様に従って、エレベーションビームフォーミングおよびＦＤ−ＭＩＭＯのためのＣＳＩフィードバックシグナリングのためのアンテナポート構成フロー図８００を例示する。フロー図８００は、ＵＥ１１５−ｅ、基地局１０５−ｄ、および基地局１０５−ｅを含み得、それは、図１〜７を参照して説明されるＵＥ１１５および基地局１０５の例であり得る。基地局１０５−ｄは、データ送信８０５をＵＥ１１５−ｅに送り得、基地局１０５−ｅは、ＵＥ１１５−ｅにデータ送信８１０を送り得る。ＵＥ１１５−ｅは、次いで、ブロック８１５において、基地局１０５−ｄおよび１０５−ｅからのデータ送信８０５および８１０に関して、ＣＱＩ、ＣＴＩ、ＰＭＩ、およびＲＩを含め、ＣＳＩを決定し得る。しかしながら、ＣＳＩレポートの衝突が生じる場合、ブロック８２０において、ＵＥ１１５−ｅは、基地局１０５−ｄまたは基地局１０５−ｅへのＣＳＩレポーティングの優先度を決定する。そのような衝突が（表１に関して上記で述べられるような）異なる優先グループにおけるＣＳＩレポートタイプに関するもの、すなわち、グループ間（inter-group）衝突である場合、より低い優先度を有するＣＳＩレポートが、ＣＳＩレポート８２５のようなより高い優先度を有するＣＳＩレポートを送信することを選択して、ドロップされる。そのような衝突が（表１に関して上記で述べられるような）同じ優先グループにおけるＣＳＩレポートタイプに関するもの、すなわち、グループ内（intra-group）衝突である場合、ＵＥ１１５−ｅは、サービングセルインデックス、ＣＳＩプロセスインデックス、および／またはサブフレームセットインデックスのうちの１つまたは複数のエレベーションに基づいて送るためのＣＳＩレポートを決定する。
【０１６０】
[0088]本開示の様々な態様に従った他の例において、ＵＥ１１５は、ユーザ機器（ＵＥ）において、コードブックのセットの中からコードブックを示すコードブックタイプインジケータ（ＣＴＩ）を、コードブックが基地局の２次元アンテナポート構造に関連付けられ得るように、識別し得る。
【０１６１】
[0089]本開示の様々な態様に従った他の例において、ＵＥ１１５は、ＣＴＩに基づいてプリコーディングマトリクスインジケータ（ＰＭＩ）を選択し得る。
【０１６２】
[0090]本開示の様々な態様に従った他の例において、ＵＥ１１５は、ＵＥから基地局に、ＰＭＩを含むチャネル状態情報（ＣＳＩ）レポートを送信し得る。いくつかの例において、ＣＳＩレポートは、ＣＴＩをさらに含む。いくつかの例において、ＣＴＩに少なくとも部分的に基づいてＰＭＩを選択することは、第１の垂直コードブックに関連付けられた第１の垂直ＰＭＩを選択することを備える。
【０１６３】
[0091]本開示の様々な態様に従った他の例において、ＵＥ１１５は、第１の水平コードブックに関連付けられた第１の水平ＰＭＩを選択し得る。
【０１６４】
[0092]本開示の様々な態様に従った他の例において、ＵＥ１１５は、第２のコードブックに関連付けられた第２のＰＭＩを選択し得る。
【０１６５】
[0093]本開示の様々な態様に従った他の例において、ＵＥ１１５は、ＣＴＩに少なくとも部分的に基づいて、第１の垂直ＰＭＩを選択すること、第１の水平ＰＭＩを選択すること、または第２のＰＭＩを選択することのうちの１つまたは複数を含み得る。
いくつかの例において、コードブックは、２次元アンテナポート構造の行の数に関連付けられた第１の垂直コードブックを含む。いくつかの例において、第１の水平コードブックは、２次元アンテナポート構造の列の数に関連付けられる。
いくつかの例において、コードブックは、２次元アンテナポート構造の偏波の数に関連付けられた第２のコードブックをさらに含む。
【０１６６】
[0094]本開示の様々な態様に従った他の例において、ＵＥ１１５は、第１の垂直コードブックまたは第１の水平コードブックのうちの１つまたは複数のサイズを制限し得る。
【０１６７】
[0095]本開示の様々な態様に従った他の例において、ＵＥ１１５は、ＵＥにおいて、サイズを制限するとき、第１の垂直コードブックまたは第１の水平コードブックのうちの１つまたは複数に適用される制限されたコードブックサイズに関連付けられたビットマップパラメータを受信し得る。
【０１６８】
[0096]本開示の様々な態様に従った他の例において、ＵＥ１１５は、ランクインジケータ（ＲＩ）にさらに基づき得るＰＭＩを選択し得る。
【０１６９】
[0097]本開示の様々な態様に従った他の例において、ＵＥ１１５は、物理アップリンク共有チャネル（ＰＵＳＣＨ）を使用して、ＣＳＩレポートのセットを非周期的に送信し得る。いくつかの例において、物理アップリンク共有チャネル（ＰＵＳＣＨ）を使用して複数のＣＳＩレポートを非周期的に送信することは、ＣＴＩ、ランクインジケータ（ＲＩ）、第１の垂直ＰＭＩ、および第１の水平ＰＭＩを非周期的に送信することを含む。
【０１７０】
[0098]本開示の様々な態様に従った他の例において、ＵＥ１１５は、物理アップリンク制御チャネル（ＰＵＣＣＨ）を使用して、ＣＳＩレポートのセットを周期的に送信し得る。いくつかの例において、ＰＵＣＣＨを使用して複数のＣＳＩレポートを周期的に送信することは、ランクインジケータ（ＲＩ）および第１の垂直ＰＭＩを符号化する第１のＣＳＩレポートを送信することを含む。
【０１７１】
[0099]本開示の様々な態様に従った他の例において、ＵＥ１１５は、第１の水平ＰＭＩを符号化する第２のＣＳＩレポートを送信し得る。
【０１７２】
[0100]本開示の様々な態様に従った他の例において、ＵＥ１１５は、広帯域のチャネル品質インジケータ（ＣＱＩ）および第２のＰＭＩを符号化する第３のＣＳＩレポートを送信し得る。いくつかの例において、ＰＵＣＣＨを使用して複数のＣＳＩレポートを周期的に送信することは、ランクインジケータ（ＲＩ）およびプリコーディングタイプインジケータ（ＰＴＩ）を符号化する第１のＣＳＩレポートを送信することを含む。
【０１７３】
[0101]本開示の様々な態様に従った他の例において、ＵＥ１１５は、ＰＴＩに基づいて、第２の周期性で、第１の垂直ＰＭＩまたは第１の水平ＰＭＩのうちの１つを符号化する第２のＣＳＩレポートを送信し得る。
【０１７４】
[0102]本開示の様々な態様に従った他の例において、ＵＥ１１５は、ＰＴＩに基づいて広帯域のチャネル品質インジケータ（ＣＱＩ）、第２のＰＭＩ、第１の水平ＰＭＩまたは第１の垂直ＰＭＩのうちの１つを符号化する第３のＣＳＩレポートを送信し得る。いくつかの例において、ＰＵＣＣＨを使用して複数のＣＳＩレポートを周期的に送信することは、ランクインジケータ（ＲＩ）およびプリコーディングタイプインジケータ（ＰＴＩ）を符号化する第１のＣＳＩレポートを送信することを含む。
【０１７５】
[0103]本開示の様々な態様に従った他の例において、ＵＥ１１５は、広帯域のチャネル品質インジケータ（ＣＱＩ）を送信し得る。
【０１７６】
[0104]本開示の様々な態様に従った他の例において、ＵＥ１１５は、サブバンドのＣＱＩまたは組み合わされた第１の水平ＰＭＩおよび第１の垂直ＰＭＩのうちの１つを、ＰＴＩに基づいて符号化する第３のＣＳＩレポートを送信し得る。
【０１７７】
[0105]図９は、本開示の様々な態様に従って、本開示の様々な態様に従って、エレベーションビームフォーミングおよびＦＤ−ＭＩＭＯのためのＣＳＩフィードバックシグナリングのために構成されたワイヤレスデバイス９００のブロック図を示す。ワイヤレスデバイス９００は、図１〜８を参照して説明されるＵＥ１１５の態様の例であり得る。ワイヤレスデバイス９００は、受信機９０５、ＣＳＩモジュール９１０、または送信機９１５を含み得る。ワイヤレスデバイス９００は、プロセッサを含み得る。これらのコンポーネントの各々は、互いに通信状態にあり得る。
【０１７８】
[0106]受信機９０５は、パケット、ユーザデータ、または様々な情報チャネル（例えば、コントロールチャネル、データチャネル、およびエレベーションビームフォーミングおよびＦＤ−ＭＩＭＯのためのＣＳＩフィードバックシグナリングに関連する情報、等）に関連付けられた制御情報のような情報を受信し得る。情報は、ワイヤレスデバイス９００のＣＳＩモジュール９１０に、および他のコンポーネントに伝えられ得る。
【０１７９】
[0107]ＣＳＩモジュール９１０は、ユーザ機器（ＵＥ）において、コードブックのセットの中からコードブックを示すコードブックタイプインジケータ（ＣＴＩ）を識別し得、ここにおいて、コードブックが基地局の２次元アンテナポート構造に関連付けられ、ＣＴＩに少なくとも部分的に基づいて、プリコーディングマトリクスインジケータ（ＰＭＩ）を選択し得、ＵＥから基地局に、ＰＭＩを含むチャネル状態情報（ＣＳＩ）レポートを送信し得る。
【０１８０】
[0108]送信機９１５は、ワイヤレスデバイス９００の他のコンポーネントから受信される信号を送信し得る。いくつかの例において、送信機９１５は、トランシーバモジュールにおいて受信機９０５と共に配置され得る。送信機９１５は、単一のアンテナを含み得るか、またはそれは、複数のアンテナを含み得る。
【０１８１】
[0109]図１０は、本開示の様々な態様に従って、エレベーションビームフォーミングおよびＦＤ−ＭＩＭＯのためのＣＳＩフィードバックシグナリングのためのワイヤレスデバイス１０００のブロック図を示す。ワイヤレスデバイス１０００は、図１〜９を参照して説明されるワイヤレスデバイス９００またはＵＥ１１５の態様の例であり得る。ワイヤレスデバイス１０００は、受信機９０５−ａ、ＣＳＩモジュール９１０−ａ、または送信機９１５−ａを含み得る。ワイヤレスデバイス１０００は、プロセッサを含み得る。これらのコンポーネントの各々は、互いと通信状態にあり得る。ＣＳＩモジュール９１０−ａはまた、コードブックマネージャ１００５、ＰＭＩセレクタ１０１０、およびＣＳＩレポーティングマネージャ１０１５を含み得る。
【０１８２】
[0110]受信機９０５−ａは、ワイヤレスデバイス１０００のＣＳＩモジュール９１０−ａに、および他のコンポーネントに伝えられ得る情報を受信し得る。ＣＳＩモジュール９１０−ａは、図９を参照して説明される動作を行い得る。送信機９１５−ａは、ワイヤレスデバイス１０００の他のコンポ−ネントから受信された信号を送信し得る。
【０１８３】
[0111]コードブックマネージャ１００５は、図１〜８を参照して説明されるように、ユーザ機器（ＵＥ）において、コードブックのセットの中からコードブックを示すコードブックタイプインジケータ（ＣＴＩ）を識別し得、ここにおいて、コードブックが基地局の２次元アンテナポート構造に関連付けられる。いくつかの例において、コードブックは、２次元アンテナポート構造の行の数に関連付けられた第１の垂直コードブックを含む。いくつかの例において、第１の水平コードブックは、２次元アンテナポート構造の列の数に関連付けられる。
いくつかの例において、コードブックは、２次元アンテナポート構造の偏波の数に関連付けられた第２のコードブックをさらに含む。コードブックマネージャ１００５はまた、第１の垂直コードブックまたは第１の水平コードブックのうちの１つまたは複数のサイズを制限し得る。コードブックマネージャ１００５は、ＵＥにおいて、サイズを制限するとき、第１の垂直コードブックまたは第１の水平コードブックのうちの１つまたは複数に適用される制限されたコードブックサイズに関連付けられたビットマップパラメータを受信し得る。
【０１８４】
[0112]ＰＭＩセレクタ１０１０は、図１〜８を参照して説明されるように、ＣＴＩに少なくとも部分的に基づいて、プリコーディングマトリクスインジケータ（ＰＭＩ）を選択し得る。いくつかの例において、ＣＴＩに少なくとも部分的に基づいてＰＭＩを選択することは、第１の垂直コードブックに関連付けられた第１の垂直ＰＭＩを選択することを備える。ＰＭＩセレクタ１０１０はまた、第１の水平コードブックに関連付けられた第１の水平ＰＭＩを選択し得る。ＰＭＩセレクタ１０１０はまた、第２のコードブックに関連付けられた第２のＰＭＩを選択し得る。ＰＭＩセレクタ１０１０はまた、ＣＴＩに少なくとも部分的に基づいて、第１の垂直ＰＭＩを選択すること、第１の水平ＰＭＩを選択すること、または第２のＰＭＩを選択することのうちの１つまたは複数を選択し得る。ＰＭＩセレクタ１０１０はまた、ランクインジケータ（ＲＩ）にさらに少なくとも部分的に基づいてＰＭＩを選択し得る。
【０１８５】
[0113]ＣＳＩレポーティングマネージャ１０１５は、図１〜８を参照して説明されるように、ＵＥから基地局に、ＰＭＩを含むチャネル状態情報（ＣＳＩ）レポートを送信し得る。いくつかの例において、ＣＳＩレポートは、ＣＴＩをさらに含む。
【０１８６】
[0114]アンテナ構成通信マネージャ１０２０は、図１〜８を参照して説明されるように、ＵＥにおいて、基地局のアンテナポート構造に関連付けられた第１のアンテナポート構成パラメータを受信し得る。アンテナ構成通信マネージャ１０２０はまた、ＵＥにおいて、アンテナポート構造に関連付けられた第３のアンテナポート構成パラメータを受信し得、ここにおいて、第２のアンテナポート構成パラメータを決定することは、第３のアンテナポート構成パラメータにさらに少なくとも部分的に基づく。アンテナ構成通信マネージャ１０２０はまた、第１のアンテナポート構成パラメータは、アンテナポート構造の行の数を含む。
いくつかの例において、第３のアンテナポート構成パラメータは、アンテナポート構造の列の数を含む。アンテナ構成通信マネージャ１０２０はまた、第１のアンテナポート構成パラメータは、アンテナポート構造の行の数またはアンテナポート構造の列の数のうちの１つである。いくつかの例において、アンテナポート構造は、交差偏波の２次元アンテナポート構造を備える。
【０１８７】
[0115]アンテナポート構成マネージャ１０２５は、図１〜８を参照して説明されるように、第１のアンテナポート構成パラメータに少なくとも部分的に基づいて、アンテナポート構造に関連付けられた第２のアンテナポート構成パラメータを決定し得る。いくつかの例において、第２のアンテナポート構成パラメータは、アンテナポート構造の偏波の数を含む。いくつかの例において、第２のアンテナポート構成パラメータは、アンテナポート構造の偏波配列を含む。アンテナポート構成マネージャ１０２５はまた、アンテナポート構造の第１のアンテナポート構成パラメータおよび第３のアンテナポート構成パラメータに少なくとも部分的に基づいて、第２のアンテナポート構成パラメータを決定し得る。
【０１８８】
[0116]ＵＥ通信マネージャ１０３０は、図１〜８を参照して説明されるように、ＵＥにおいて、第１のアンテナポート構成パラメータおよび第２のアンテナポート構成パラメータに少なくとも部分的に基づいて、データを送信および受信し得る。ＵＥ通信マネージャ１０３０はまた、第３のアンテナポート構成パラメータにさらに少なくとも部分的に基づいて、データを送信または受信し得る。
【０１８９】
[0117]図１１は、本開示の様々な態様に従って、エレベーションビームフォーミングおよびＦＤ−ＭＩＭＯのためのＣＳＩフィードバックシグナリングのためのワイヤレスデバイス９００またはワイヤレスデバイス１０００のコンポーネントであり得るＣＳＩモジュール９１０−ｂのブロック図１１００を示す。ＣＳＩモジュール９１０−ｂは、図９〜１０を参照して説明されるように、ＣＳＩモジュール９１０の態様の例であり得る。ＣＳＩモジュール９１０−ｂは、コードブックマネージャ１００５−ａ、ＰＭＩセレクタ１０１０−ａ、ＣＳＩレポーティングマネージャ１０１５−ａ、アンテナ構成通信マネージャ１０２０−ａ、アンテナポート構成マネージャ１０２５−ａ、およびＵＥ通信マネージャ１０３０−ａを含み得る。これらのモジュールの各々は、図１０を参照して説明されるような機能を行い得る。これらのモジュールの各々は、図１０を参照して説明されるような機能を行い得る。ＣＳＩモジュール９１０−ｂはまた、非周期的なＣＳＩレポーティングマネージャ１１０５、および周期的なＣＳＩレポーティングマネージャ１１１０を含み得る。
【０１９０】
[0118]非周期的なＣＳＩレポーティングマネージャ１１０５は、図１〜８を参照して説明されるように、物理アップリンク共有チャネル（ＰＵＳＣＨ）を使用して、複数のＣＳＩレポートを非周期的に送信し得る。いくつかの例において、ＰＵＳＣＨを使用して複数のＣＳＩレポートを非周期的に送信することは、ＣＴＩ、ランクインジケータ（ＲＩ）、第１の垂直ＰＭＩ、第１の水平ＰＭＩを非周期的に送信することを含む。
【０１９１】
[0119]周期的なＣＳＩレポーティングマネージャ１１１０は、図１〜８を参照して説明されるように、物理アップリンク制御チャネル（ＰＵＣＣＨ）を使用して、複数のＣＳＩレポートを周期的に送信し得る。いくつかの例において、ＰＵＣＣＨを使用して複数のＣＳＩレポートを周期的に送信することは、ランクインジケータ（ＲＩ）および第１の垂直ＰＭＩを符号化する第１のＣＳＩレポートを送信することを含む。周期的なＣＳＩレポーティングマネージャ１１１０はまた、第１の水平ＰＭＩを符号化する第２のＣＳＩレポートを送信し得る。周期的なＣＳＩレポーティングマネージャ１１１０はまた、広帯域のチャネル品質インジケータ（ＣＱＩ）および第２のＰＭＩを符号化する第３のＣＳＩレポートを送信し得る。いくつかの例において、ＰＵＣＣＨを使用して複数のＣＳＩレポートを周期的に送信することは、ランクインジケータ（ＲＩ）およびプリコーディングタイプインジケータ（ＰＴＩ）を符号化する第１のＣＳＩレポートを送信することを含む。周期的なＣＳＩレポーティングマネージャ１１１０はまた、ＰＴＩに少なくとも部分的に基づいて、第２の周期性で、第１の垂直ＰＭＩまたは第１の水平ＰＭＩのうちの１つを符号化する第２のＣＳＩレポートを送信し得る。周期的なＣＳＩレポーティングマネージャ１１１０はまた、ＰＴＩに少なくとも部分的に基づいて広帯域のチャネル品質インジケータ（ＣＱＩ）、第２のＰＭＩ、および第１の水平ＰＭＩまたは第１の垂直ＰＭＩのうちの１つを符号化する第３のＣＳＩレポートを送信し得る。いくつかの例において、ＰＵＣＣＨを使用して複数のＣＳＩレポートを周期的に送信することは、ランクインジケータ（ＲＩ）およびプリコーディングタイプインジケータ（ＰＴＩ）を符号化する第１のＣＳＩレポートを送信することを含む。周期的なＣＳＩレポーティングマネージャ１１１０はまた、広帯域のチャネル品質インジケータ（ＣＱＩ）を送信し得る。周期的なＣＳＩレポーティングマネージャ１１１０はまた、サブバンドのＣＱＩまたは組み合わされた第１の水平ＰＭＩおよび第１の垂直ＰＭＩのうちの１つを、ＰＴＩに少なくとも部分的に基づいて符号化する第３のＣＳＩレポートを送信し得る。
【０１９２】
[0120]図１２は、本開示の様々な態様に従って、エレベーションビームフォーミングおよびＦＤ−ＭＩＭＯのためのＣＳＩフィードバックシグナリングのために構成されたＵＥ１１５を含むシステム１２００の図を示す。システム１２００は、ＵＥ１１５−ＸＸＸを含み得、それは、図１、２、および９〜１１を参照して説明されるワイヤレスデバイス９００、ワイヤレスデバイス１０００、またはＵＥ１１５の例であり得る。ＵＥ１１５−ｆは、ＣＳＩモジュール１２１０を含み得、それは、図９〜１１を参照して説明されるようにＣＳＩモジュール９１０の例であり得る。ＵＥ１１５−ｆはまた、通信を送信するためのコンポーネントおよび通信を受信するためのコンポーネントを含む双方向ボイスおよびデータ通信のためのコンポーネントを含み得る。例えば、ＵＥ１１５−ｆは、基地局１０５−ｆおよび／またはＵＥ１１５−ｇと双方向で通信し得る。
【０１９３】
[0121]ＵＥ１１５−ｆはまた、プロセッサ１２０５、および（ソフトウェア（ＳＷ）１２２０を含む）メモリ１２１５、トランシーバ１２３５、および１つまたは複数のアンテナ１２４０を含み得、これらの各々は、（例えば、バス１２４５を介して）互いと直接的にまたは間接的に通信し得る。トランシーバ１２３５は、上記で説明されるように、（１つまたは複数の）アンテナ１２４０またはワイヤードまたはワイヤレスリンクを介して、１つまたは複数のネットワークと双方向で通信し得る。例えば、トランシーバ１２３５は、基地局１０５または別のＵＥ１１５と双方向に通信し得る。トランシーバ１２３５は、パケットを変調し、変調されたパケットを送信のために（１つまたは複数の）アンテナ１２４０に提供することと、（１つまたは複数の）アンテナ１２４０から受信されたパケットを復調することとを行うモデムを含み得る。ＵＥ１１５−ｆは、単一のアンテナ１２４０を含み得る一方で、ＵＥ１１５−ｆはまた、複数のワイヤレス送信を同時に送信または受信することが可能な複数のアンテナ１２４０を有し得る。
【０１９４】
[0122]メモリ１２１５は、ランダムアクセスメモリ（ＲＡＭ）および読取り専用メモリ（ＲＯＭ）を含み得る。メモリ１２１５は、実行されると、プロセッサ１２０５に、本明細書に説明される様々な機能（例えば、エレベーションビームフォーミングおよびＦＤ−ＭＩＭＯのためのＣＳＩフィードバックシグナリング、等）を行わせる命令を含むコンピュータ読取り可能、コンピュータ実行可能ソフトウェア／ファームウェアコード１２２０、を記憶し得る。代替として、ソフトウェア／ファームウェアコード１２２０は、プロセッサ１２０５によって直接的に実行可能ではないこともあるが、（例えば、コンパイルおよび実行されると）、コンピュータに、本明細書に説明されている機能を行わせ得る。プロセッサ１２０５は、インテリジェントハードウェアデバイス、（例えば、中央処理ユニット（ＣＰＵ）、マイクロコントローラ、特定用途向け集積回路（ＡＳＩＣ）等）を含み得る。
【０１９５】
[0123]ワイヤレスデバイス９００、ワイヤレスデバイス１０００、ＣＳＩモジュール９１０、およびＣＳＩモジュール１２１０のコンポーネントは、個別にまたは集合的に、ハードウェアにおいて適用可能な機能のうちのいくつかまたは全てを行うように適合された少なくとも１つのＡＳＩＣでインプリメントされ得る。代替として、それら機能は、少なくとも１つのＩＣ上で、１つまたは複数の他の処理ユニット（または、コア）によって行われ得る。他の例において、他のタイプの集積回路（例えば、ストラクチャード／プラットフォームＡＳＩＣ、フィールドプログラマブルゲートアレイ（ＦＰＧＡ）、または別のセミカスタムＩＣ）が使用され得、それらは、当該技術において知られている任意の方式でプログラムされ得る。各ユニットの機能はまた、全体的にあるいは部分的に、メモリ中で具現化された命令でインプリメントされ得、１つまたは複数の汎用あるいは特定用途向けプロセッサによって実行されるようにフォーマットされ得る。
【０１９６】
[0124]図１３は、本開示の様々な態様に従って、エレベーションビームフォーミングおよびＦＤ−ＭＩＭＯのためのＣＳＩフィードバックシグナリングのための方法１３００を例示するフローチャートを示す。方法１３００の動作は、図１〜１２を参照して説明されるように、ＵＥ１１５またはそれのコンポーネントによってインプリメントされ得る。例えば、方法１３００の動作は、図９〜１２を参照して説明されるように、ＣＳＩモジュール９１０によって行われ得る。いくつかの例において、ＵＥ１１５は、以下で説明される機能を行うために、ＵＥ１１５の機能的な要素を制御するためのコードのセットを実行し得る。追加または代替として、ＵＥ１１５は、専用ハードウェアを使用して、以下で説明される複数の機能の態様を実行し得る。
【０１９７】
[0125]ブロック１３０５において、ＵＥ１１５は、図１〜８を参照して説明されるように、ユーザ機器（ＵＥ）において、コードブックのセットの中からコードブックを示すコードブックタイプインジケータ（ＣＴＩ）を識別し得、ここにおいて、コードブックが基地局の２次元アンテナポート構造に関連付けられる。ある特定の例において、ブロック１３０５の動作は、図１０を参照して説明されるように、コードブックマネージャ１００５によって行われ得る。
【０１９８】
[0126]ブロック１３１０において、ＵＥ１１５は、図１〜８を参照して説明されるように、ＣＴＩに少なくとも部分的に基づいて、プリコーディングマトリクスインジケータ（ＰＭＩ）を選択し得る。ある特定の例において、ブロック１３１０の動作は、図１０を参照して説明されるように、ＰＭＩセレクタ１０１０によって行われ得る。
【０１９９】
[0127]ブロック１３１５において、ＵＥ１１５は、図１〜８を参照して説明されるように、ＵＥから基地局に、ＰＭＩを含むチャネル状態情報（ＣＳＩ）レポートを送信し得る。ある特定の例において、ブロック１３１５の動作は、図１０を参照して説明されるように、ＣＳＩレポーティングマネージャ１０１５によって行われ得る。
【０２００】
[0128]図１４は、本開示の様々な態様に従って、エレベーションビームフォーミングおよびＦＤ−ＭＩＭＯのためのＣＳＩフィードバックシグナリングのための方法１４００を例示するフローチャートを示す。方法１４００の動作は、図１〜１２を参照して説明されるように、ＵＥ１１５またはそれのコンポーネントによってインプリメントされ得る。例えば、方法１４００の動作は、図９〜１２を参照して説明されるように、ＣＳＩモジュール９１０によって行われ得る。いくつかの例において、ＵＥ１１５は、以下で説明される機能を行うために、ＵＥ１１５の機能的な要素を制御するためのコードのセットを実行し得る。追加または代替として、ＵＥ１１５は、専用ハードウェアを使用して、以下で説明される複数の機能の態様を実行し得る。方法１４００はまた、図１３の方法１３００の態様を組み込み得る。
【０２０１】
[0129]ブロック１４０５において、ＵＥ１１５は、図１〜８を参照して説明されるように、ユーザ機器（ＵＥ）において、コードブックのセットの中からコードブックを示すコードブックタイプインジケータ（ＣＴＩ）を識別し得、ここにおいて、コードブックが基地局の２次元アンテナポート構造に関連付けられる。ある特定の例において、ブロック１４０５の動作は、図１０を参照して説明されるように、コードブックマネージャ１００５によって行われ得る。
【０２０２】
[0130]ブロック１４１０において、ＵＥ１１５は、図１〜８を参照して説明されるように、ＣＴＩに基づいて、第１の水平コードブックに関連付けられた第１の水平ＰＭＩ、第１の垂直コードブックに関連付けられた第１の垂直ＰＭＩ、および第２のコードブックに関連付けられた第２のＰＭＩを含む、プリコーディングマトリクスインジケータ（ＰＭＩ）を選択し得る。ある特定の例において、ブロック１４１０の動作は、図１０を参照して説明されるように、ＰＭＩセレクタ１０１０によって行われ得る。
【０２０３】
[0131]ブロック１４１５において、ＵＥ１１５は、図１〜８を参照して説明されるように、ＵＥから基地局に、ＰＭＩを含むチャネル状態情報（ＣＳＩ）レポートを送信し得る。ある特定の例において、ブロック１４１５の動作は、図１０を参照して説明されるように、ＣＳＩレポーティングマネージャ１０１５によって行われ得る。
【０２０４】
[0132]図１５は、本開示の様々な態様に従って、エレベーションビームフォーミングおよびＦＤ−ＭＩＭＯのためのＣＳＩフィードバックシグナリングのための方法１５００を例示するフローチャートを示す。方法１５００の動作は、図１〜１２を参照して説明されるように、ＵＥ１１５またはそれのコンポーネントによってインプリメントされ得る。例えば、方法１５００の動作は、図９〜１２を参照して説明されるように、ＣＳＩモジュール９１０によって行われ得る。いくつかの例において、ＵＥ１１５は、以下で説明される機能を行うために、ＵＥ１１５の機能的な要素を制御するためのコードのセットを実行し得る。追加または代替として、ＵＥ１１５は、専用ハードウェアを使用して、以下で説明される複数の機能の態様を実行し得る。方法１５００はまた、図１３〜１４の方法１３００、および１４００の態様を組み込み得る。
【０２０５】
[0133]ブロック１５０５において、ＵＥ１１５は、図１〜８を参照して説明されるように、ユーザ機器（ＵＥ）において、コードブックのセットの中からコードブックを示すコードブックタイプインジケータ（ＣＴＩ）を識別し得、ここにおいて、コードブックが基地局の２次元アンテナポート構造に関連付けられる。ある特定の例において、ブロック１５０５の動作は、図１０を参照して説明されるように、コードブックマネージャ１００５によって行われ得る。コードブックは、２次元アンテナポート構造の行の数に関連付けられた第１の垂直コードブック、および２次元アンテナポート構造の列の数に関連付けられた第１の水平コードブックを含み得る。
【０２０６】
[0134]ブロック１５１０において、ＵＥ１１５は、図１〜８を参照して説明されるように、ＣＴＩに基づいてプリコーディングマトリクスインジケータ（ＰＭＩ）を選択し得る。ある特定の例において、ブロック１５１０の動作は、図１０を参照して説明されるように、ＰＭＩセレクタ１０１０によって行われ得る。
【０２０７】
[0135]ブロック１５１５において、ＵＥ１１５は、図１〜８を参照して説明されるように、第１の垂直コードブックまたは第１の水平コードブックのうちの１つまたは複数のサイズを制限し得る。ある特定の例において、ブロック１５１５の動作は、図１０を参照して説明されるように、コードブックマネージャ１００５によって行われ得る。
【０２０８】
[0136]ブロック１５２０において、ＵＥ１１５は、図１〜８を参照して説明されるように、ＵＥから基地局に、ＰＭＩを含むチャネル状態情報（ＣＳＩ）レポートを送信し得る。ある特定の例において、ブロック１５２０の動作は、図１０を参照して説明されるように、ＣＳＩレポーティングマネージャ１０１５によって行われ得る。
【０２０９】
[0137]図１６は、本開示の様々な態様に従って、エレベーションビームフォーミングおよびＦＤ−ＭＩＭＯのためのＣＳＩフィードバックシグナリングのための方法１６００を例示するフローチャートを示す。方法１６００の動作は、図１〜１２を参照して説明されるように、ＵＥ１１５またはそれのコンポーネントによってインプリメントされ得る。例えば、方法１６００の動作は、図９〜１２を参照して説明されるように、ＣＳＩモジュール９１０によって行われ得る。いくつかの例において、ＵＥ１１５は、以下で説明される機能を行うために、ＵＥ１１５の機能的な要素を制御するためのコードのセットを実行し得る。追加または代替として、ＵＥ１１５は、専用ハードウェアを使用して、以下で説明される複数の機能の態様を実行し得る。方法１６００はまた、図１３〜１５の方法１３００、１４００、および１５００の態様を組み込み得る。
【０２１０】
[0138]ブロック１６０５において、図１〜８を参照して説明されるように、ＵＥ１１５は、ユーザ機器（ＵＥ）において、コードブックのセットの中からコードブックを示すコードブックタイプインジケータ（ＣＴＩ）を識別し得、ここにおいて、コードブックが基地局の２次元アンテナポート構造に関連付けられる。ある特定の例において、ブロック１６０５の動作は、図１０を参照して説明されるように、コードブックマネージャ１００５によって行われ得る。
【０２１１】
[0139]ブロック１６１０において、ＵＥ１１５は、図１〜８を参照して説明されるように、ＣＴＩに少なくとも部分的に基づいて、プリコーディングマトリクスインジケータ（ＰＭＩ）を選択し得る。ある特定の例において、ブロック１６１０の動作は、図１０を参照して説明されるように、ＰＭＩセレクタ１０１０によって行われ得る。
【０２１２】
[0140]ブロック１６１５において、ＵＥ１１５は、図１〜８を参照して説明されるように、ＵＥ１１５は、ＵＥから基地局に、ＰＭＩを含むチャネル状態情報（ＣＳＩ）レポートを送信し得る。ある特定の例において、ブロック１６１５の動作は、図１０を参照して説明されるように、ＣＳＩレポーティングマネージャ１０１５によって行われ得る。
【０２１３】
[0141]ブロック１６２０において、ＵＥ１１５は、図１〜８を参照して説明されるように、物理アップリンク共有チャネル（ＰＵＳＣＨ）を使用して、複数のＣＳＩレポートを非周期的に送信し得る。ある特定の例において、ブロック１６２０の動作は、図１１を参照して説明されるように、周期的なＣＳＩレポーティングマネージャ１１０５によって行われ得る。
【０２１４】
[0142]図１７は、本開示の様々な態様に従って、エレベーションビームフォーミングおよびＦＤ−ＭＩＭＯのためのＣＳＩフィードバックシグナリングのための方法１７００を例示するフローチャートを示す。方法１７００の動作は、図１〜１２を参照して説明されるように、ＵＥ１１５またはそれのコンポーネントによってインプリメントされ得る。例えば、方法１７００の動作は、図９〜１２を参照して説明されるように、ＣＳＩモジュール９１０によって行われ得る。いくつかの例において、ＵＥ１１５は、以下で説明される機能を行うために、ＵＥ１１５の機能的な要素を制御するためのコードのセットを実行し得る。追加または代替として、ＵＥ１１５は、専用ハードウェアを使用して、以下で説明される複数の機能の態様を実行し得る。方法１７００はまた、図１３〜１６の方法１３００、１４００、１５００、および１６００の態様を組み込み得る。
【０２１５】
[0143]ブロック１７０５において、ＵＥ１１５は、図１〜８を参照して説明されるように、ユーザ機器（ＵＥ）において、コードブックのセットの中からコードブックを示すコードブックタイプインジケータ（ＣＴＩ）を識別し得、ここにおいて、コードブックが基地局の２次元アンテナポート構造に関連付けられる。ある特定の例において、ブロック１７０５の動作は、図１０を参照して説明されるように、コードブックマネージャ１００５によって行われ得る。
【０２１６】
[0144]ブロック１７１０において、ＵＥ１１５は、図１〜８を参照して説明されるように、ＣＴＩに少なくとも部分的に基づいて、プリコーディングマトリクスインジケータ（ＰＭＩ）を選択し得る。ある特定の例において、ブロック１７１０の動作は、図１０を参照して説明されるように、ＰＭＩセレクタ１０１０によって行われ得る。
【０２１７】
[0145]ブロック１７１５において、ＵＥ１１５は、図１〜８を参照して説明されるように、ＵＥから基地局に、ＰＭＩを含むチャネル状態情報（ＣＳＩ）レポートを送信し得る。ある特定の例において、ブロック１７１５の動作は、図１０を参照して説明されるように、ＣＳＩレポーティングマネージャ１０１５によって行われ得る。
【０２１８】
[0146]ブロック１７２０において、ＵＥ１１５は、図１〜８を参照して説明されるように、物理アップリンク制御チャネル（ＰＵＣＣＨ）を使用して、複数のＣＳＩレポートを周期的に送信し得る。ある特定の例において、ブロック１７２０の動作は、図１１を参照して説明されるように、周期的なＣＳＩレポーティングマネージャ１１１０によって行われ得る。
【０２１９】
[0147]図１８は、本開示の様々な態様に従って、エレベーションビームフォーミングおよびＦＤ−ＭＩＭＯのためのＣＳＩフィードバックシグナリングのための方法１８００を例示するフローチャートを示す。方法１８００の動作は、図１〜１２を参照して説明されるように、ＵＥ１１５またはそれのコンポーネントによってインプリメントされ得る。例えば、方法１８００の動作は、図９〜１２を参照して説明されるように、ＣＳＩモジュール９１０によって行われ得る。いくつかの例において、ＵＥ１１５は、以下で説明される機能を行うために、ＵＥ１１５の機能的な要素を制御するためのコードのセットを実行し得る。追加または代替として、ＵＥ１１５は、専用ハードウェアを使用して、以下で説明される複数の機能の態様を実行し得る。方法１８００はまた、図１３〜１７の方法１３００、１４００、１５００、１６００、および１７００の態様を組み込み得る。
【０２２０】
[0148]ブロック１８０５において、図２〜８を参照して説明されるように、ＵＥ１１５は、ＵＥにおいて、基地局のアンテナポート構造に関連付けられた第１のアンテナポート構成パラメータを受信し得る。ある特定の例において、ブロック１８０５の動作は、図１０を参照して説明されるように、アンテナ構成通信マネージャ１０２０によって行われ得る。
【０２２１】
[0149]１８１０ブロックにおいて、ＵＥ１１５は、図２〜８を参照して説明されるように、第１のアンテナポート構成パラメータに少なくとも部分的に基づいて、アンテナポート構造に関連付けられた第２のアンテナポート構成パラメータを決定し得る。ある特定の例において、ブロック１８１０の動作は、図１０を参照して説明されるように、アンテナポート構成マネージャ１０２５によって行われ得る。
【０２２２】
[0150]ブロック１８１５において、図２〜８を参照して説明されるように、ＵＥ１１５は、ＵＥにおいて、第１のアンテナポート構成パラメータおよび第２のアンテナポート構成パラメータに少なくとも部分的に基づいて、データを送信および受信し得る。ある特定の例において、ブロック１８１５の動作は、図１０を参照して説明されるように、ＵＥ通信マネージャ１０３０によって行われ得る。
【０２２３】
[0151]図１９は、本開示の様々な態様に従って、エレベーションビームフォーミングおよびＦＤ−ＭＩＭＯのためのＣＳＩフィードバックシグナリングのための方法１９００を例示するフローチャートを示す。方法１９００の動作は、図１〜１２を参照して説明されるように、ＵＥ１１５またはそれのコンポーネントによってインプリメントされ得る。例えば、方法１９００の動作は、図９〜１２を参照して説明されるように、ＣＳＩモジュール９１０によって行われ得る。いくつかの例において、ＵＥ１１５は、以下で説明される機能を行うために、ＵＥ１１５の機能的な要素を制御するためのコードのセットを実行し得る。追加または代替として、ＵＥ１１５は、専用ハードウェアを使用して、以下で説明される複数の機能の態様を実行し得る。方法１９００はまた、図１３〜１８の方法１３００、１４００、１５００、１６００、１７００、および１８００の態様を組み込み得る。
【０２２４】
[0152]ブロック１９０５において、図２〜８を参照して説明されるように、ＵＥ１１５は、ＵＥにおいて、基地局のアンテナポート構造に関連付けられた第１のアンテナポート構成パラメータを受信し得る。ある特定の例において、ブロック１９０５の動作は、図１０を参照して説明されるように、アンテナ構成通信マネージャ１０２０によって行われ得る。
【０２２５】
[0153]ブロック１９１０において、ＵＥ１１５は、図２〜８を参照して説明されるように、ＵＥにおいて、基地局のアンテナポート構造に関連付けられた第３のアンテナポート構成パラメータを受信し得る。ある特定の例において、ブロック１９１０の動作は、図１０を参照して説明されるように、アンテナ構成通信マネージャ１０２０によって行われ得る。
【０２２６】
[0154]１９１５ブロックにおいて、ＵＥ１１５は、図２〜８を参照して説明されるように、第１のアンテナポート構成パラメータおよび第３のアンテナポート構成パラメータに少なくとも部分的に基づいて、アンテナポート構造に関連付けられた第２のアンテナポート構成パラメータを決定し得る。ある特定の例において、ブロック１９１５の動作は、図１０を参照して説明されるように、アンテナポート構成マネージャ１０２５によって行われ得る。
【０２２７】
[0155]ブロック１９２０において、ＵＥ１１５は、図２〜８を参照して説明されるように、第１のアンテナポート構成パラメータ、第２のアンテナポート構成パラメータ、および第３のアンテナポート構成パラメータに少なくとも部分的に基づいて、ＵＥにおいてデータを送信または受信し得る。ある特定の例において、ブロック１９２０の動作は、図１０を参照して説明されるように、ＵＥ通信マネージャ１０３０によって行われ得る。
【０２２８】
[0156]図２０は、本開示の様々な態様に従って、エレベーションビームフォーミングおよびＦＤ−ＭＩＭＯのためのＣＳＩフィードバックシグナリングのための方法２０００を例示するフローチャートを示す。方法２０００の動作は、図１〜１２を参照して説明されるように、ＵＥ１１５またはそれのコンポーネントによってインプリメントされ得る。例えば、方法２０００の動作は、図９〜１２を参照して説明されるように、ＣＳＩモジュール９１０によって行われ得る。いくつかの例において、ＵＥ１１５は、以下で説明される機能を行うために、ＵＥ１１５の機能的な要素を制御するためのコードのセットを実行し得る。追加または代替として、ＵＥ１１５は、専用ハードウェアを使用して、以下で説明される複数の機能の態様を実行し得る。方法２０００はまた、図１３〜１９の方法１３００、１４００、１５００、１６００、１７００、１８００、および１９００の態様を組み込み得る。
【０２２９】
[0157]ブロック２００５において、図２〜８を参照して説明されるように、ＵＥ１１５は、ＵＥにおいて、基地局のアンテナポート構造に関連付けられた第１のアンテナポート構成パラメータを受信し得る。ある特定の例において、ブロック２００５の動作は、図１０を参照して説明されるように、アンテナ構成通信マネージャ１０２０によって行われ得る。
【０２３０】
[0158]２０１０ブロックにおいて、ＵＥ１１５は、図２〜８を参照して説明されるように、第１のアンテナポート構成パラメータに少なくとも部分的に基づいて、アンテナポート構造に関連付けられた第２のアンテナポート構成パラメータを決定し得る。ある特定の例において、ブロック２０１０の動作は、図１０を参照して説明されるように、アンテナポート構成マネージャ１０２５によって行われ得る。
【０２３１】
[0159]ブロック２０１５において、ＵＥ１１５は、図２〜８を参照して説明されるように、ＵＥにおいて、第１のアンテナポート構成パラメータおよび第２のアンテナポート構成パラメータに少なくとも部分的に基づいて、データを送信および受信に少なくとも部分的に基づいて、データを送信および受信し得、ここにおいて、第１のアンテナポート構成パラメータは、アンテナポート構造の行の数またはアンテナポート構造の列の数のうちの１つである。ある特定の例において、ブロック２０１５の動作は、図１０を参照して説明されるように、ＵＥ通信マネージャ１０３０によって行われ得る。
【０２３２】
[0160]このように、方法１３００、１４００、１５００、１６００、１７００、１８００、１９００、および２０００は、エレベーションビームフォーミングおよびＦＤ−ＭＩＭＯのためのＣＳＩフィードバックシグナリングを提供し得る。方法１３００、１４００、１５００、１６００、１７００、１８００、１９００、および２０００は、可能なインプリメンテーションを説明しており、動作およびステップは、他のインプリメンテーションが可能になるように、再配置またはそうでない場合は修正され得ることに留意されたい。いくつかの例において、方法１３００、１４００、１５００、１６００、１７００、１８００、１９００、および２０００のうちの２つ以上からの態様が組み合され得る。
【０２３３】
[0161]ここでの説明は、例を提供しており、特許請求の範囲に記載されている範囲、適用可能性、または例を限定していない。本開示の範囲から逸脱することなしに、述べられた要素の機能および配列において変更がなされ得る。様々な例は、適宜、様々なプロシージャまたはコンポーネントを省略、代用、または追加し得る。また、いくつかの例に関して説明された特徴は、他の例において組み合わされ得る。
【０２３４】
[0162]ここに説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムに関して使用され得る。「システム」および「ネットワーク」という用語は、しばしば交換可能に使用される。符号分割多元接続（ＣＤＭＡ）システムは、ＣＤＭＡ２０００、ユニバーサル地上無線アクセス（ＵＴＲＡ）等の無線技術をインプリメントし得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００１Ｘ、１Ｘ等と呼ばれる。ＩＳ−８５６（ＴＩＡ−８５６）は、一般に、ＣＤＭＡ２０００  １ｘＥＶ−ＤＯ、高レートパケットデータ（ＨＲＰＤ）等と呼ばれる。ＵＴＲＡは、広帯域ＣＤＭＡ（ＷＣＤＭＡ（登録商標））およびＣＤＭＡの他の変形を含む。時分割多元接続（ＴＤＭＡ）システムは、モバイル通信のためのグローバルシステム（ＧＳＭ（登録商標））のような無線技術をインプリメントし得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ等の無線技術をインプリメントし得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥ−アドバンスド（ＬＴＥ−Ａ）は、Ｅ−ＵＴＲＡを使用するユニバーサルモバイル電気通信システム（ＵＭＴＳ）の新リリースである。ＵＴＲＡ、Ｅ−ＵＴＲＡ、ユニバーサルモバイル電気通信システム（ＵＭＴＳ）、ＬＴＥ、ＬＴＥ−Ａ、およびモバイル通信のためのグローバルシステム（ＧＳＭ）は、「第３世代パートナーシッププロジェクト」（３ＧＰＰ）という名称の団体からの文書に説明されている。ＣＤＭＡ２０００およびＵＭＢは、「第３世代パートナーシッププロジェクト２」（３ＧＰＰ２）と呼ばれる団体からの文書に説明されている。ここで説明された技法は、上述されたシステムおよび無線技術、ならびに他のシステムおよび無線技術のために使用され得る。しかしながら、ここでの説明は、例という目的でＬＴＥシステムを説明し、本技法は、ＬＴＥアプリケーションを超えて適用可能であるが、ＬＴＥの専門用語が上記の説明の大部分において使用されている。
【０２３５】
[0163]ここに説明されたそのようなネットワークを含むＬＴＥ／ＬＴＥ−Ａネットワークでは、発展型ノードＢ（ｅＮＢ）という用語は概して、基地局を説明するために使用され得る。ここに説明された１つまたは複数のワイヤレス通信システムは、異なるタイプのｅＮＢが様々な地理的領域に対してカバレッジを提供する異種ＬＴＥ／ＬＴＥ−Ａネットワークを含み得る。例えば、各ｅＮＢまたは基地局は、マクロセル、スモールセル、または他のタイプのセルに対して通信カバレッジを提供し得る。「セル」という用語は、コンテキストに応じて、基地局、基地局に関連付けられたキャリアまたはコンポーネントキャリア、あるいはキャリアまたは基地局のカバレッジエリア（例えば、セクタ等の）を説明するために使用されることができる３ＧＰＰ用語である。
【０２３６】
[0164]基地局は、ベーストランシーバ局、無線基地局、アクセスポイント、無線トランシーバ、ノードＢ、ｅノードＢ（ｅＮＢ）、ホームノードＢ、ホームｅノードＢ、または何らかの他の適した専門用語で当業者によって呼ばれ得るか、あるいはそれらを含み得る。基地局に対する地理的カバレッジエリアは、カバレッジエリアの一部分のみを構成するセクタへと分割され得る。ここで説明されたワイヤレス通信のシステムまたは複数のシステムは、異なるタイプの基地局（例えば、マクロまたはスモールセル基地局）を含み得る。ここで説明されたＵＥは、マクロｅＮＢ、スモールセルｅＮＢ、リレー基地局、などを含む様々なタイプの基地局およびネットワーク機器と通信することが可能であり得る。異なる技術に関して重複する地理的なカバレッジエリアが存在し得る。
【０２３７】
[0165]マクロセルは概して、比較的大きい地理的エリア（例えば、半径数キロメートル）をカバーし、ネットワークプロバイダにサービス加入しているＵＥによる無制限のアクセスを可能にし得る。スモールセルは、マクロセルと比較すると、マクロセルと同じまたは異なる（例えば、ライセンスの、アンライセンスの、等の）周波数帯域において動作し得るより低電力の基地局である。スモールセルは、様々な例に従って、ピコセル、フェムトセル、およびマイクロセルを含み得る。ピコセルは、例えば、小さい地理的なエリアをカバーし得、ネットワークプロバイダにサービス加入しているＵＥによる制限されていないアクセスを可能にし得る。フェムトセルもまた、小さい地理的なエリア（例えば、自宅）をカバーし得、フェムトセルとのアソシエーションを有するＵＥ（例えば、クローズド加入者グループ（ＣＳＧ）におけるＵＥ、自宅におけるユーザのためのＵＥ、など）による制限されたアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つ、など）のセル（例えば、コンポーネントキャリア）をサポートし得る。ＵＥは、マクロｅＮＢ、スモールセルｅＮＢ、リレー基地局、などを含む様々なタイプの基地局およびネットワーク機器と通信することが可能であり得る。
【０２３８】
[0166]ここに説明された１つまたは複数のワイヤレス通信システムは、同期または非同期動作をサポートし得る。同期動作の場合、基地局は、同様のフレームタイミングを有し、異なる基地局からの送信は、時間的にあらまし揃えられ得る（approximately aligned in time）。非同期動作の場合、複数の基地局は、異なるフレームタイミングを有し得、異なる基地局からの送信は、時間的に揃えられないことがあり得る。ここで説明された技法は、同期動作または非同期動作のいずれかのために使用され得る。
【０２３９】
[0167]ここに説明されたダウンリンク送信はまた、順方向リンク送信と呼ばれ得、一方でアップリンク送信はまた、逆方向リンク送信と呼ばれ得る。例えば、図１および２のワイヤレス通信システム１００および２００を含む、ここに説明された各通信リンクは、１つまたは複数のキャリアを含み得、ここで、各キャリアは、複数のサブキャリア（例えば、異なる周波数の波形信号）から成る信号であり得る。各変調された信号は、異なるサブキャリア上で送られ得、制御情報（例えば、基準信号、制御チャネル等の）、オーバヘッド情報、ユーザデータ等を搬送し得る。ここで説明された通信リンク（例えば、図１の通信リンク１２５）は、（例えば、対のスペクトルリソースを使用する）周波数分割複信（ＦＤＤ）、または（例えば、対になっていないスペクトルリソースを使用する）時分割複信（ＴＤＤ）動作を使用して、双方向通信を送信し得る。フレーム構造が、周波数分割複信（ＦＤＤ）（例えば、フレーム構造タイプ１）およびＴＤＤ（例えば、フレーム構造タイプ２）のために定義され得る。
【０２４０】
[0168]添付された図面に関連してここに記載された説明は、例となる構成を説明しており、インプリメントされ得るまたは特許請求の範囲内にある全ての例を表してはいない。ここに使用される「例となる（exemplary）」という用語は、「好ましい」または「他の例より有利である」ということではなく、「例、事例、または例示としての役割を果たすこと」を意味する。詳細な説明は、説明された技法の理解を提供することを目的とした特定の詳細を含む。しかしながら、これらの技法は、これらの特定の詳細なしで実施され得る。いくつかの事例では、周知の構造およびデバイスは、説明された例の概念を曖昧にすることを避けるために、ブロック図形式で示される。
【０２４１】
[0169]添付された図面では、同様のコンポーネントまたは特徴は、同じ参照ラベルを有し得る。さらに、同じタイプの様々なコンポーネントは、ダッシュ、および同様のコンポーネント間を区別する第２のラベルが参照ラベルに後続することによって区別され得る。第１の参照ラベルのみが本明細書において使用される場合、その説明は、第２の参照ラベルにかかわらず、同じ第１の参照ラベルを有する同様のコンポーネントのうちの任意の１つに適用可能である。
【０２４２】
[0170]ここに説明された情報および信号は、多様な異なる技術および技法のうちの任意のものを使用して表わされ得る。例えば、上記の説明の全体にわたって参照され得る、データ、命令、コマンド、情報、信号、ビット、シンボル、およびチップは、電圧、電流、電磁波、磁場または磁粒子、光場または光学粒子、あるいはそれらの任意の組み合わせによって表わされ得る。
【０２４３】
[0171]本明細書での開示に関連して説明された様々な例示的なブロックおよびモジュールは、汎用プロセッサ、デジタルシグナルプロセッサ（ＤＳＰ）、ＡＳＩＣ、ＦＰＧＡまたは他のプログラマブルロジックデバイス、ディスクリートゲートまたはトランジスタロジック、ディスクリートハードウェアコンポーネント、あるいはここに説明された機能を行うように設計されたそれらの任意の組み合わせを用いてインプリメントまたは行われ得る。汎用プロセッサは、マイクロプロセッサであり得るが、代替では、プロセッサは、任意の従来のプロセッサ、コントローラ、マイクロコントローラ、またはステートマシンであり得る。プロセッサはまた、コンピューティングデバイスの組み合わせ（例えば、デジタルシグナルプロセッサ（ＤＳＰ）およびマイクロプロセッサの組み合わせ、複数のマイクロプロセッサ、ＤＳＰコアと連携した１つまたは複数のマイクロプロセッサ、あるいは任意の他のそのような構成）としてインプリメントされ得る。
【０２４４】
[0172]ここに説明された機能は、ハードウェア、プロセッサによって実行されるソフトウェア、ファームウェア、またはそれらの任意の組み合わせにおいてインプリメントされ得る。プロセッサによって実行されるソフトウェアでインプリメントされる場合、これら機能は、コンピュータ読取り可能媒体上で、１つまたは複数の命令またはコードとして記憶または送信され得る。他の例およびインプリメンテーションは、本開示および添付の特許請求の範囲の範囲内にある。例えば、ソフトウェアの性質により、上記に説明された機能は、プロセッサによって実行されるソフトウェア、ハードウェア、ファームウェア、ハードワイヤリング、またはこれらのいずれの組み合わせを使用してインプリメントされることができる。機能をインプリメントする特徴はまた、異なる物理的な位置において機能の部分がインプリメントされるように分散されることを含め、様々な場所に物理的に位置し得る。また、特許請求の範囲を含め、ここで使用される場合、項目のリスト（例えば、「〜のうちの少なくとも１つ」または「〜のうちの１つまたは複数）」といった表現で始まる項目のリスト）において使用される「または（ｏｒ）」は、例えば、Ａ、Ｂ、またはＣのうちの少なくとも１つというリストが、ＡまたはＢまたはＣまたはＡＢまたはＡＣまたはＢＣまたはＡＢＣ（すなわち、ＡおよびＢおよびＣ）を意味するような、包含的なリストを示す。
【０２４５】
[0173]コンピュータ読取り可能媒体は、ある場所から別の場所へのコンピュータプログラムの転送を容易にする任意の媒体を含む通信媒体と非一時的コンピュータ記憶媒体との両方を含む。非一時的な記憶媒体は、汎用または専用コンピュータによってアクセスされることができる任意の利用可能な媒体であり得る。限定ではなく例として、非一時的なコンピュータ読取り可能媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形式で所望のプログラムコード手段を搬送または記憶するために使用されることができ、かつ、汎用または専用コンピュータ、または汎用または専用プロセッサによってアクセスされることができるその他任意の非一時的な媒体を備えることができる。また、任意の接続は、厳密にはコンピュータ読取り可能媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、またはその他の遠隔ソースから送信される場合には、この同軸ケーブル、光ファイバーケーブル、ツイストペア、デジタル加入者回線（ＤＳＬ）、または赤外線、無線、およびマイクロ波のようなワイヤレス技術は、媒体の定義に含まれる。ディスク（ｄｉｓｋ）およびディスク（ｄｉｓｃ）は、ここで使用される場合、ＣＤ、レーザーディスク（登録商標）、光ディスク、デジタル多目的ディスク（ＤＶＤ）、フロッピー（登録商標）ディスクおよびＢｌｕ−ｒａｙ（登録商標）ディスクを含み、ここでディスク（ｄｉｓｋｓ）は、通常磁気的にデータを再生し、一方で、ディスク（ｄｉｓｃｓ）は、レーザーを用いて光学的にデータを再生する。上記の組み合わせもまた、コンピュータ読取り可能媒体の範囲内に含まれる。
【０２４６】
[0174]ここでの説明は、当業者が本開示を製造または使用することを可能にするために提供される。本開示に対する様々な修正は、当業者にとって容易に明らかとなり、ここに定義された包括的な原理は、本開示の範囲から逸脱することなしに他の変形に適用され得る。したがって、本開示は、ここで説明された例および設計に限定されるべきではなく、ここで開示された原理および新規の特徴に合致する最も広い範囲を与えられることとなる。
以下に本願の出願当初の特許請求の範囲に記載された発明を付記する。
[Ｃ１]
ワイヤレス通信のための方法であって、
ユーザ機器（ＵＥ）において、コードブックのセットの中からコードブックを示すコードブックタイプインジケータ（ＣＴＩ）を識別すること、ここにおいて、前記コードブックが基地局の２次元アンテナポート構造に関連付けられる、と、
前記ＣＴＩに少なくとも部分的に基づいて、プリコーディングマトリクスインジケータ（ＰＭＩ）を選択することと、
前記ＵＥから前記基地局に、前記ＰＭＩを含むチャネル状態情報（ＣＳＩ）レポートを送信することと
を備える方法。
[Ｃ２]
前記ＣＳＩレポートは、前記ＣＴＩをさらに含む、Ｃ１に記載の方法。
[Ｃ３]
前記ＣＴＩに少なくとも部分的に基づいて前記ＰＭＩを選択することは、
第１の垂直コードブックに関連付けられた第１の垂直ＰＭＩを選択することと、
第１の水平コードブックに関連付けられた第１の水平ＰＭＩを選択することと、
第２のコードブックに関連付けられた第２のＰＭＩを選択することと
を備える、Ｃ１に記載の方法。
[Ｃ４]
前記第１の垂直ＰＭＩを選択すること、前記第１の水平ＰＭＩを選択すること、または前記第２のＰＭＩを選択することのうちの１つまたは複数は、前記ＣＴＩに少なくとも部分的に基づく、Ｃ３に記載の方法。
[Ｃ５]
前記コードブックは、
前記２次元アンテナポート構造の行の数に関連付けられた第１の垂直コードブックと、
前記２次元アンテナポート構造の列の数に関連付けられた第１の水平コードブックと
を備える、Ｃ１に記載の方法。
[Ｃ６]
前記コードブックは、
前記２次元アンテナポート構造の偏波の数に関連付けられた第２のコードブック
をさらに備える、Ｃ５に記載の方法。
[Ｃ７]
前記第１の垂直コードブックまたは前記第１の水平コードブックのうちの１つまたは複数のサイズを制限すること
をさらに備える、Ｃ５に記載の方法。
[Ｃ８]
ＵＥにおいて、前記サイズを制限するとき、前記第１の垂直コードブックまたは前記第１の水平コードブックのうちの前記１つまたは複数に適用される制限されたコードブックサイズに関連付けられたビットマップパラメータを受信すること
をさらに備える、Ｃ７に記載の方法。
[Ｃ９]
前記ＰＭＩを選択することは、ランクインジケータ（ＲＩ）にさらに少なくとも部分的に基づく、Ｃ１に記載の方法。
[Ｃ１０]
物理アップリンク共有チャネル（ＰＵＳＣＨ）を使用して、複数のＣＳＩレポートを非周期的に送信すること
をさらに備える、Ｃ１に記載の方法。
[Ｃ１１]
前記ＰＵＳＣＨを使用して前記複数のＣＳＩレポートを非周期的に送信することは、
前記ＣＴＩ、ランクインジケータ（ＲＩ）、第１の垂直ＰＭＩ、第１の水平ＰＭＩ、およびチャネル品質インジケータ（ＣＱＩ）を非周期的に送信すること
を備える、Ｃ１０に記載の方法。
[Ｃ１２]
物理アップリンク制御チャネル（ＰＵＣＣＨ）を使用して、複数のＣＳＩレポートを周期的に送信することをさらに備える、Ｃ１に記載の方法。
[Ｃ１３]
前記ＰＵＣＣＨを使用して前記複数のＣＳＩレポートを周期的に送信することは、
第１の周期性で、ランクインジケータ（ＲＩ）および第１の垂直ＰＭＩを符号化する第１のＣＳＩレポートを送信することと、
第２の周期性で、第１の水平ＰＭＩを符号化する第２のＣＳＩレポートを送信することと、
第３の周期性で、広帯域のチャネル品質インジケータ（ＣＱＩ）および第２のＰＭＩを符号化する第３のＣＳＩレポートを送信することと
を備える、Ｃ１２に記載の方法。
[Ｃ１４]
前記ＰＵＣＣＨを使用して前記複数のＣＳＩレポートを周期的に送信することは、
第１の周期性で、ランクインジケータ（ＲＩ）およびプリコーディングタイプインジケータ（ＰＴＩ）を符号化する第１のＣＳＩレポートを送信することと、
第２の周期性で、前記ＰＴＩに少なくとも部分的に基づいて第１の垂直ＰＭＩまたは第１の水平ＰＭＩのうちの１つを符号化する第２のＣＳＩレポートを、送信することと、
第３の周期性で、前記ＰＴＩに少なくとも部分的に基づいて広帯域のチャネル品質インジケータ（ＣＱＩ）、第２のＰＭＩ、および前記第１の水平ＰＭＩまたは前記第１の垂直ＰＭＩのうちの１つを符号化する第３のＣＳＩレポートを、送信することと
を備える、Ｃ１２に記載の方法。
[Ｃ１５]
前記ＰＵＣＣＨを使用して前記複数のＣＳＩレポートを周期的に送信することは、
第１の周期性で、ランクインジケータ（ＲＩ）およびプリコーディングタイプインジケータ（ＰＴＩ）を符号化する第１のＣＳＩレポートを送信することと、
第２の周期性で、組み合わされた第１の水平ＰＭＩおよび第１の垂直ＰＭＩまたは組み合わされた広帯域のチャネル品質インジケータ（ＣＱＩ）および第２のＰＭＩのうちの１つを、前記ＰＴＩに少なくとも部分的に基づいて符号化する第２のＣＳＩレポートを、送信することと、
第３の周期性で、組み合わされた広帯域のＣＱＩおよび前記第２のＰＭＩまたは組み合わされたサブバンドのＣＱＩおよび前記第２のＰＭＩのうちの１つを、前記ＰＴＩに少なくとも部分的に基づいて符号化する第３のＣＳＩレポートを送信することと
を備える、Ｃ１２に記載の方法。
[Ｃ１６]
前記ＣＳＩレポートを送信することは、
前記基地局に関連付けられた前記ＣＳＩレポートと第２のＣＳＩレポートとの間の衝突を検出することと、
前記ＣＳＩレポートに関連付けられた第１の優先度が前記第２のＣＳＩレポートに関連付けられた第２の優先度よりも高いことを決定することと、
前記第２のＣＳＩレポートをドロップすることと、
前記ＵＥから前記基地局に、前記ＰＭＩを含む前記ＣＳＩレポートを送信することと
を備える、Ｃ１２に記載の方法。
[Ｃ１７]
ワイヤレス通信のための方法であって、
ＵＥにおいて、基地局のアンテナポート構造に関連付けられた第１のアンテナポート構成パラメータを受信することと、
前記第１のアンテナポート構成パラメータに少なくとも部分的に基づいて、前記アンテナポート構造に関連付けられた第２のアンテナポート構成パラメータを決定することと、
前記ＵＥにおいて、前記第１のアンテナポート構成パラメータおよび前記第２のアンテナポート構成パラメータに少なくとも部分的に基づいて、データを送信または受信することと
を備える方法。
[Ｃ１８]
前記ＵＥにおいて、前記アンテナポート構造に関連付けられた第３のアンテナポート構成パラメータを受信すること、ここにおいて、第２のアンテナポート構成パラメータを決定することは、前記第３のアンテナポート構成パラメータにさらに少なくとも部分的に基づく、
ここにおいて、前記データを送信または受信することは、前記第３のアンテナポート構成パラメータにさらに少なくとも部分的に基づく、
をさらに備える、Ｃ１７に記載の方法。
[Ｃ１９]
前記第１のアンテナポート構成パラメータは、前記アンテナポート構造の行の数を含み、
前記第２のアンテナポート構成パラメータは、前記アンテナポート構造の偏波の数を含み、
前記第３のアンテナポート構成パラメータは、前記アンテナポート構造の列の数を含む、Ｃ１８に記載の方法。
[Ｃ２０]
前記第１のアンテナポート構成パラメータは、前記アンテナポート構造の行の数または前記アンテナポート構造の列の数のうちの１つであり、
前記第２のアンテナポート構成パラメータは、前記アンテナポート構造の偏波配列を含む、
Ｃ１７に記載の方法。
[Ｃ２１]
前記第２のアンテナポート構成パラメータを決定することは、前記アンテナポート構造の前記第１のアンテナポート構成パラメータおよび第３のアンテナポート構成パラメータに少なくとも部分的に基づく、Ｃ１７に記載の方法。
[Ｃ２２]
前記アンテナポート構造は、交差偏波の２次元アンテナポート構造を備える、Ｃ１７に記載の方法。
[Ｃ２３]
ワイヤレス通信のための装置であって、
ユーザ機器（ＵＥ）において、コードブックのセットの中からコードブックを示すコードブックタイプインジケータ（ＣＴＩ）を識別するための手段、ここにおいて、前記コードブックが基地局の２次元アンテナポート構造に関連付けられる、と、
前記ＣＴＩに少なくとも部分的に基づいて、プリコーディングマトリクスインジケータ（ＰＭＩ）を選択するための手段と、
前記ＵＥから前記基地局に、前記ＰＭＩを含むチャネル状態情報（ＣＳＩ）レポートを送信するための手段と
を備える装置。
[Ｃ２４]
前記ＣＳＩレポートは、前記ＣＴＩをさらに含む、Ｃ２３に記載の装置。
[Ｃ２５]
第１の水平コードブックに関連付けられた第１の水平ＰＭＩを選択するための手段と、
第２のコードブックに関連付けられた第２のＰＭＩを選択するための手段、
前記ＣＴＩに少なくとも部分的に基づいて前記ＰＭＩを選択することは、第１の垂直コードブックに関連付けられた第１の垂直ＰＭＩを選択することを備える、と
をさらに備える、Ｃ２３に記載の装置。
[Ｃ２６]
前記第１の垂直コードブックまたは第１の水平コードブックのうちの１つまたは複数のサイズを制限するための手段
をさらに備える、Ｃ２３に記載の装置。
[Ｃ２７]
物理アップリンク共有チャネル（ＰＵＳＣＨ）を使用して、複数のＣＳＩレポートを非周期的に送信するための手段をさらに備える、Ｃ２３に記載の装置。
[Ｃ２８]
物理アップリンク制御チャネル（ＰＵＣＣＨ）を使用して、複数のＣＳＩレポートを周期的に送信するための手段をさらに備える、Ｃ２３に記載の装置。
[Ｃ２９]
ユーザ機器（ＵＥ）において、基地局のアンテナポート構造に関連付けられた第１のアンテナポート構成パラメータを受信するための手段と、
前記第１のアンテナポート構成パラメータに少なくとも部分的に基づいて、前記アンテナポート構造に関連付けられた第２のアンテナポート構成パラメータを決定するための手段と、
前記ＵＥにおいて、前記第１のアンテナポート構成パラメータおよび前記第２のアンテナポート構成パラメータに少なくとも部分的に基づいて、データを送信または受信するための手段と
を備える、ワイヤレス通信のための装置。
[Ｃ３０]
前記ＵＥにおいて、前記アンテナポート構造に関連付けられた第３のアンテナポート構成パラメータを受信するための手段、ここにおいて、前記第２のアンテナポート構成パラメータを決定することは、前記第３のアンテナポート構成パラメータにさらに少なくとも部分的に基づき、
前記データを送信または受信するための手段は、前記第３のアンテナポート構成パラメータにさらに少なくとも部分的に基づく、
をさらに備える、Ｃ２９に記載の装置。
【図１】
0006724132.tif 000045
【図２】
0006724132.tif 000046
【図３】
0006724132.tif 000047
【図４】
0006724132.tif 000048
【図５】
0006724132.tif 000049
【図６Ａ】
0006724132.tif 000050
【図６Ｂ】
0006724132.tif 000051
【図７Ａ】
0006724132.tif 000052
【図７Ｂ】
0006724132.tif 000053
【図８】
0006724132.tif 000054
【図９】
0006724132.tif 000055
【図１０】
0006724132.tif 000056
【図１１】
0006724132.tif 000057
【図１２】
0006724132.tif 000058
【図１３】
0006724132.tif 000059
【図１４】
0006724132.tif 000060
【図１５】
0006724132.tif 000061
【図１６】
0006724132.tif 000062
【図１７】
0006724132.tif 000063
【図１８】
0006724132.tif 000064
【図１９】
0006724132.tif 000065
【図２０】
0006724132.tif 000066